(57)【要約】一態様では、ワイヤレス通信のための方法、コンピュータ読取可能な媒体、および装置が提供される。前記装置は、ＵＥによって要求される機能を含む登録要求を受信し得る。前記装置は、前記要求されるＣＩｏＴ最適化機能に基づいて、前記登録要求を拒否すると決定し得る。前記装置は、複数の原因値から、前記ＵＥへの登録拒否メッセージ中に含める１つの原因値を選択し得る。前記装置は、前記登録拒否メッセージを前記ＵＥに送り得る。【選択図】図４
2019525584.tif 000002
【特許請求の範囲】
【請求項１】
コアネットワークエンティティのワイヤレス通信の方法であって、
ユーザ機器（ＵＥ）から、要求される機能を含む登録要求を受信することと、ここにおいて、前記要求される機能は、ＣＩｏＴ（cellular internet of things）最適化機能を含み、前記ＣＩｏＴ最適化機能は、少なくとも、要求される進化型パケットシステム（ＥＰＳ）最適化を含む、
前記要求される機能に基づいて、前記登録要求を拒否すると決定することと、
複数の原因値から、前記ＵＥへの登録拒否メッセージ中に含める１つの原因値を選択することと、ここにおいて、
前記複数の原因値は、少なくとも、第１の原因値および第２の原因値を含み、
前記第１の原因値は、原因値番号を含み、
前記第２の原因値は、拡張ＥＰＳモビリティ管理（ＥＭＭ）原因情報エレメントを含み、
前記原因値番号は、原因値＃１５であり、
前記第１の原因値は、追跡エリア中に適切なセルが存在しないことを示し、
前記第２の原因値は、前記要求されるＥＰＳ最適化がサポートされていないことを示す、
前記登録拒否メッセージを前記ＵＥに送ることと、
を備える方法。
【請求項２】
前記原因値は、前記ＵＥがＮＢ−Ｓ１モードであるかＷＢ−Ｓ１モードであるかに基づいて選択される、請求項１に記載の方法。
【請求項３】
前記原因値は、ローカル展開についての知識に基づいて選択される、請求項１に記載の方法。
【請求項４】
前記ローカル展開についての前記知識は、前記ローカル展開が、現在の地上波公共移動通信ネットワーク（ＰＬＭＮ）の同じエリアにおいて別の周波数上に別の追跡エリアが存在するようなものであるかどうかを備える、請求項３に記載の方法。
【請求項５】
前記第１の原因値は、現在の地上波公共移動通信ネットワーク（ＰＬＭＮ）において、登録を試みるのに値する別の追跡エリアをサーチするよう前記ＵＥに指示し、前記第１の原因値は、前記現在のＰＬＭＮの別の追跡エリア中で適切なセルを見つけようと試みるよう前記ＵＥに指示する、請求項１に記載の方法。
【請求項６】
前記第２の原因値は、前記現在のＰＬＭＮにおいて、登録を試みるのに値する別の追跡エリアを前記ＵＥが見つけないであろうことを示し、前記第２の原因値は、異なるＰＬＭＮを見つけることを試みるよう前記ＵＥに指示する、請求項５に記載の方法。
【請求項７】
前記原因値番号は、前記現在のＰＬＭＮにおいて、登録を試みるのに値する別の追跡エリアを前記ＵＥが見つけることができるかどうかを示す、請求項６に記載の方法。
【請求項８】
前記原因値番号は、前記ＣＩｏＴ最適化機能が現在の地上波公共移動通信ネットワーク（ＰＬＭＮ）においてサポートされていないことを示す、請求項１に記載の方法。
【請求項９】
前記コアネットワークエンティティはＭＭＥである、請求項１に記載の方法。
【請求項１０】
ユーザ機器（ＵＥ）のワイヤレス通信の方法であって、
要求される機能を含む登録要求をコアネットワークエンティティに送信することと、ここにおいて、前記要求される機能は、ＣＩｏＴ（cellular internet of things）最適化機能を含み、前記ＣＩｏＴ最適化機能は、少なくとも、要求される進化型パケットシステム（ＥＰＳ）最適化を含む、
原因値を含む登録拒否メッセージを受信することと、ここにおいて、
前記原因値は、第１の原因値または第２の原因値のうちの１つを含み、
前記第１の原因値は、原因値番号を含み、
前記第２の原因値は、拡張ＥＰＳモビリティ管理（ＥＭＭ）原因情報エレメントを含み、
前記原因値番号は、原因値＃１５であり、
前記第１の原因値は、追跡エリア中に適切なセルが存在しないことを示し、
前記第２の原因値は、前記要求されるＥＰＳ最適化がサポートされていないことを示す、
前記原因値に基づいて、現在の地上波公共移動通信ネットワーク（ＰＬＭＮ）の別の追跡エリアをサーチするかどうかを決定することと、
を備える方法。
【請求項１１】
前記原因値が前記第１の原因値であるとき、現在の地上波公共移動通信ネットワーク（ＰＬＭＮ）の前記別の追跡エリアへの登録を試みることと、
前記原因値が前記第２の原因値であるとき、別のＰＬＭＮを選択することを試みることと、
をさらに備える、請求項１０に記載の方法。
【請求項１２】
前記原因値番号は、現在の地上波公共移動通信ネットワーク（ＰＬＭＮ）において、登録を試みるのに値する別の追跡エリアを前記ＵＥが見つけることができるかどうかを示すこと専用である、請求項１０に記載の方法。
【請求項１３】
前記原因値番号は、前記ＣＩｏＴ最適化機能が現在の地上波公共移動通信ネットワーク（ＰＬＭＮ）においてサポートされていないことを示すこと専用である、請求項１０に記載の方法。
【請求項１４】
コアネットワークエンティティのワイヤレス通信のための装置であって、
ユーザ機器（ＵＥ）から、要求される機能を含む登録要求を受信するための手段と、ここにおいて、前記要求される機能は、ＣＩｏＴ（cellular internet of things）最適化機能を含み、前記ＣＩｏＴ最適化機能は、少なくとも、要求される進化型パケットシステム（ＥＰＳ）最適化を含む、
前記要求される機能に基づいて、前記登録要求を拒否すると決定するための手段と、
複数の原因値から、前記ＵＥへの登録拒否メッセージ中に含める１つの原因値を選択するための手段と、ここにおいて、
前記複数の原因値は、少なくとも、第１の原因値および第２の原因値を含み、
前記第１の原因値は、原因値番号を含み、
前記第２の原因値は、拡張ＥＰＳモビリティ管理（ＥＭＭ）原因情報エレメントを含み、
前記原因値番号は、原因値＃１５であり、
前記第１の原因値は、追跡エリア中に適切なセルが存在しないことを示し、
前記第２の原因値は、前記要求されるＥＰＳ最適化がサポートされていないことを示す、
前記登録拒否メッセージを前記ＵＥに送るための手段と、
を備える装置。
【請求項１５】
前記原因値は、前記ＵＥがＮＢ−Ｓ１モードであるかＷＢ−Ｓ１モードであるかに基づいて選択される、請求項１４に記載の装置。
【請求項１６】
前記原因値は、ローカル展開についての知識に基づいて選択される、請求項１４に記載の装置。
【請求項１７】
前記ローカル展開についての前記知識は、前記ローカル展開が、現在の地上波公共移動通信ネットワーク（ＰＬＭＮ）の同じエリアにおいて別の周波数に別の追跡エリアが存在するようなものであるかどうかを備える、請求項１６に記載の装置。
【請求項１８】
前記第１の原因値は、現在の地上波公共移動通信ネットワーク（ＰＬＭＮ）において、登録を試みるのに値する別の追跡エリアをサーチするよう前記ＵＥに指示し、前記第１の原因値は、前記現在のＰＬＭＮの別の追跡エリア中で適切なセルを見つけようと試みるよう前記ＵＥに指示する、請求項１４に記載の装置。
【請求項１９】
前記第２の原因値は、前記現在のＰＬＭＮにおいて、登録を試みるのに値する別の追跡エリアを前記ＵＥが見つけないであろうことを示し、前記第２の原因値は、異なるＰＬＭＮを見つけることを試みるよう前記ＵＥに指示する、請求項１８に記載の装置。
【請求項２０】
前記原因値番号は、前記現在のＰＬＭＮにおいて、登録を試みるのに値する別の追跡エリアを前記ＵＥが見つけることができるかどうかを示す、請求項１９に記載の装置。
【請求項２１】
前記原因値番号は、前記ＣＩｏＴ最適化機能が現在の地上波公共移動通信ネットワーク（ＰＬＭＮ）においてサポートされていないことを示す、請求項１４に記載の装置。
【請求項２２】
前記コアネットワークエンティティはＭＭＥである、請求項１４に記載の装置。
【請求項２３】
ユーザ機器（ＵＥ）のワイヤレス通信のための装置であって、
要求される機能を含む登録要求をコアネットワークエンティティに送信するための手段と、ここにおいて、前記要求される機能は、ＣＩｏＴ（cellular internet of things）最適化機能を含み、前記ＣＩｏＴ最適化機能は、少なくとも、要求される進化型パケットシステム（ＥＰＳ）最適化を含む、
原因値を含む登録拒否メッセージを受信するための手段と、ここにおいて、
前記原因値は、第１の原因値または第２の原因値のうちの１つを含み、
前記第１の原因値は、原因値番号を含み、
前記第２の原因値は、拡張ＥＰＳモビリティ管理（ＥＭＭ）原因情報エレメントを含み、
前記原因値番号は、原因値＃１５であり、
前記第１の原因値は、追跡エリア中に適切なセルが存在しないことを示し、
前記第２の原因値は、前記要求されるＥＰＳ最適化がサポートされていないことを示す、
前記原因値に基づいて、現在の地上波公共移動通信ネットワーク（ＰＬＭＮ）の別の追跡エリアをサーチするかどうかを決定するための手段と、
を備える装置。
【請求項２４】
前記原因値が前記第１の原因値であるとき、現在の地上波公共移動通信ネットワーク（ＰＬＭＮ）の前記別の追跡エリアへの登録を試みるための手段と、
前記原因値が前記第２の原因値であるとき、別のＰＬＭＮを選択することを試みるための手段と、
をさらに備える、請求項２３に記載の装置。
【請求項２５】
前記原因値番号は、現在の地上波公共移動通信ネットワーク（ＰＬＭＮ）において、登録を試みるのに値する別の追跡エリアを前記ＵＥが見つけることができるかどうかを示すこと専用である、請求項２３に記載の装置。
【請求項２６】
前記原因値番号は、前記ＣＩｏＴ最適化機能が現在の地上波公共移動通信ネットワーク（ＰＬＭＮ）においてサポートされていないことを示すこと専用である、請求項２３に記載の装置。
【請求項２７】
コアネットワークエンティティのワイヤレス通信のための装置であって、
メモリと、
前記メモリに結合された少なくとも１つのプロセッサと、
を備え、前記少なくとも１つのプロセッサは、
ユーザ機器（ＵＥ）から、要求される機能を含む登録要求を受信することと、ここにおいて、前記要求される機能は、ＣＩｏＴ（cellular internet of things）最適化機能を含み、前記ＣＩｏＴ最適化機能は、少なくとも、要求される進化型パケットシステム（ＥＰＳ）最適化を含む、
前記要求される機能に基づいて、前記登録要求を拒否すると決定することと、
複数の原因値から、前記ＵＥへの登録拒否メッセージ中に含める１つの原因値を選択することと、ここにおいて、
前記複数の原因値は、少なくとも、第１の原因値および第２の原因値を含み、
前記第１の原因値は、原因値番号を含み、
前記第２の原因値は、拡張ＥＰＳモビリティ管理（ＥＭＭ）原因情報エレメントを含み、
前記原因値番号は、原因値＃１５であり、
前記第１の原因値は、追跡エリア中に適切なセルが存在しないことを示し、
前記第２の原因値は、前記要求されるＥＰＳ最適化がサポートされていないことを示す、
前記登録拒否メッセージを前記ＵＥに送ることと、
を行うように構成される、装置。
【請求項２８】
前記原因値は、前記ＵＥがＮＢ−Ｓ１モードであるかＷＢ−Ｓ１モードであるかに基づいて選択される、請求項２７に記載の装置。
【請求項２９】
前記原因値は、ローカル展開についての知識に基づいて選択される、請求項２７に記載の装置。
【請求項３０】
前記ローカル展開についての前記知識は、前記ローカル展開が、現在の地上波公共移動通信ネットワーク（ＰＬＭＮ）の同じエリアにおいて別の周波数に別の追跡エリアが存在するようなものであるかどうかを備える、請求項２９に記載の装置。
【請求項３１】
前記第１の原因値は、現在の地上波公共移動通信ネットワーク（ＰＬＭＮ）において、登録を試みるのに値する別の追跡エリアをサーチするよう前記ＵＥに指示し、前記第１の原因値は、前記現在のＰＬＭＮの別の追跡エリア中で適切なセルを見つけようと試みるよう前記ＵＥに指示する、請求項２７に記載の装置。
【請求項３２】
前記第２の原因値は、前記現在のＰＬＭＮにおいて、登録を試みるのに値する別の追跡エリアを前記ＵＥが見つけないであろうことを示し、前記第２の原因値は、異なるＰＬＭＮを見つけることを試みるよう前記ＵＥに指示する、請求項３１に記載の装置。
【請求項３３】
前記原因値番号は、前記現在のＰＬＭＮにおいて、登録を試みるのに値する別の追跡エリアを前記ＵＥが見つけることができるかどうかを示す、請求項３２に記載の装置。
【請求項３４】
前記原因値番号は、前記ＣＩｏＴ最適化機能が現在の地上波公共移動通信ネットワーク（ＰＬＭＮ）においてサポートされていないことを示す、請求項２７に記載の装置。
【請求項３５】
前記コアネットワークエンティティはＭＭＥである、請求項２７に記載の装置。
【請求項３６】
ユーザ機器（ＵＥ）のワイヤレス通信のための装置であって、
メモリと、
前記メモリに結合された少なくとも１つのプロセッサと
を備え、前記少なくとも１つのプロセッサは、
要求される機能を含む登録要求をコアネットワークエンティティに送信することと、ここにおいて、前記要求される機能は、ＣＩｏＴ（cellular internet of things）最適化機能を含み、前記ＣＩｏＴ最適化機能は、少なくとも、要求される進化型パケットシステム（ＥＰＳ）最適化を含む、
原因値を含む登録拒否メッセージを受信することと、ここにおいて、
前記原因値は、第１の原因値または第２の原因値のうちの１つを含み、
前記第１の原因値は、原因値番号を含み、
前記第２の原因値は、拡張ＥＰＳモビリティ管理（ＥＭＭ）原因情報エレメントを含み、
前記原因値番号は、原因値＃１５であり、
前記第１の原因値は、追跡エリア中に適切なセルが存在しないことを示し、
前記第２の原因値は、前記要求されるＥＰＳ最適化がサポートされていないことを示す、
前記原因値に基づいて、現在の地上波公共移動通信ネットワーク（ＰＬＭＮ）の別の追跡エリアをサーチするかどうかを決定することと、
を行うように構成される、装置。
【請求項３７】
前記少なくとも１つのプロセッサは、
前記原因値が前記第１の原因値であるとき、現在の地上波公共移動通信ネットワーク（ＰＬＭＮ）の前記別の追跡エリアへの登録を試みることと、
前記原因値が前記第２の原因値であるとき、別のＰＬＭＮを選択することを試みることと、
を行うようにさらに構成される、請求項３６に記載の装置。
【請求項３８】
前記原因値番号は、現在の地上波公共移動通信ネットワーク（ＰＬＭＮ）において、登録を試みるのに値する別の追跡エリアを前記ＵＥが見つけることができるかどうかを示すこと専用である、請求項３６に記載の装置。
【請求項３９】
前記原因値番号は、前記ＣＩｏＴ最適化機能が現在の地上波公共移動通信ネットワーク（ＰＬＭＮ）においてサポートされていないことを示すこと専用である、請求項３６に記載の装置。
【請求項４０】
コアネットワークエンティティのためのコンピュータ実行可能コードを記憶するコンピュータ読取可能な媒体であって、
ユーザ機器（ＵＥ）から、要求される機能を含む登録要求を受信することと、ここにおいて、前記要求される機能は、ＣＩｏＴ（cellular internet of things）最適化機能を含み、前記ＣＩｏＴ最適化機能は、少なくとも、要求される進化型パケットシステム（ＥＰＳ）最適化を含む、
前記要求される機能に基づいて、前記登録要求を拒否すると決定することと、
複数の原因値から、前記ＵＥへの登録拒否メッセージ中に含める１つの原因値を選択することと、ここにおいて、
前記複数の原因値は、少なくとも、第１の原因値および第２の原因値を含み、
前記第１の原因値は、原因値番号を含み、
前記第２の原因値は、拡張ＥＰＳモビリティ管理（ＥＭＭ）原因情報エレメントを含み、
前記原因値番号は、原因値＃１５であり、
前記第１の原因値は、追跡エリア中に適切なセルが存在しないことを示し、
前記第２の原因値は、前記要求されるＥＰＳ最適化がサポートされていないことを示す、
前記登録拒否メッセージを前記ＵＥに送ることと、
を行うためのコードを備える、コンピュータ読取可能な媒体。
【請求項４１】
前記原因値は、前記ＵＥがＮＢ−Ｓ１モードであるかＷＢ−Ｓ１モードであるかに基づいて選択される、請求項４０に記載のコンピュータ読取可能な媒体。
【請求項４２】
前記原因値は、ローカル展開についての知識に基づいて選択される、請求項４０に記載のコンピュータ読取可能な媒体。
【請求項４３】
前記ローカル展開についての前記知識は、前記ローカル展開が、現在の地上波公共移動通信ネットワーク（ＰＬＭＮ）の同じエリアにおいて別の周波数に別の追跡エリアが存在するようなものであるかどうかを備える、請求項４２に記載のコンピュータ読取可能な媒体。
【請求項４４】
前記第１の原因値は、現在の地上波公共移動通信ネットワーク（ＰＬＭＮ）において、登録を試みるのに値する別の追跡エリアをサーチするよう前記ＵＥに指示し、前記第１の原因値は、前記現在のＰＬＭＮの別の追跡エリア中で適切なセルを見つけようと試みるよう前記ＵＥに指示する、請求項４０に記載のコンピュータ読取可能な媒体。
【請求項４５】
前記第２の原因値は、前記現在のＰＬＭＮにおいて、登録を試みるのに値する別の追跡エリアを前記ＵＥが見つけないであろうことを示し、前記第２の原因値は、異なるＰＬＭＮを見つけようと試みるよう前記ＵＥに指示する、請求項４４に記載のコンピュータ読取可能な媒体。
【請求項４６】
前記原因値番号は、前記現在のＰＬＭＮにおいて、登録を試みるのに値する別の追跡エリアを前記ＵＥが見つけることができるかどうかを示す、請求項４５に記載のコンピュータ読取可能な媒体。
【請求項４７】
前記原因値番号は、前記ＣＩｏＴ最適化機能が現在の地上波公共移動通信ネットワーク（ＰＬＭＮ）においてサポートされていないことを示す、請求項４０に記載のコンピュータ読取可能な媒体。
【請求項４８】
前記コアネットワークエンティティはＭＭＥである、請求項４０に記載のコンピュータ読取可能な媒体。
【請求項４９】
ユーザ機器（ＵＥ）のためのコンピュータ実行可能コードを記憶するコンピュータ読取可能な媒体であって、
要求される機能を含む登録要求をコアネットワークエンティティに送信することと、ここにおいて、前記要求される機能は、ＣＩｏＴ（cellular internet of things）最適化機能を含み、前記ＣＩｏＴ最適化機能は、少なくとも、要求される進化型パケットシステム（ＥＰＳ）最適化を含む、
原因値を含む登録拒否メッセージを受信することと、ここにおいて、
前記原因値は、第１の原因値または第２の原因値のうちの１つを含み、
前記第１の原因値は、原因値番号を含み、
前記第２の原因値は、拡張ＥＰＳモビリティ管理（ＥＭＭ）原因情報エレメントを含み、
前記原因値番号は、原因値＃１５であり、
前記第１の原因値は、追跡エリア中に適切なセルが存在しないことを示し、
前記第２の原因値は、前記要求されるＥＰＳ最適化がサポートされていないことを示す、
前記原因値に基づいて、現在の地上波公共移動通信ネットワーク（ＰＬＭＮ）の別の追跡エリアをサーチするかどうかを決定することと、
を行うためのコードを備える、コンピュータ読取可能な媒体。
【請求項５０】
前記原因値が前記第１の原因値であるとき、現在の地上波公共移動通信ネットワーク（ＰＬＭＮ）の前記別の追跡エリアへの登録を試みることと、
前記原因値が前記第２の原因値であるとき、別のＰＬＭＮを選択することを試みることと、
を行うためのコードをさらに備える、請求項４９に記載のコンピュータ読取可能な媒体。
【請求項５１】
前記原因値番号は、現在の地上波公共移動通信ネットワーク（ＰＬＭＮ）において、登録を試みるのに値する別の追跡エリアを前記ＵＥが見つけることができるかどうかを示すこと専用である、請求項４９に記載のコンピュータ読取可能な媒体。
【請求項５２】
前記原因値番号は、前記ＣＩｏＴ最適化機能が現在の地上波公共移動通信ネットワーク（ＰＬＭＮ）においてサポートされていないことを示すこと専用である、請求項４９に記載のコンピュータ読取可能な媒体。
【発明の詳細な説明】
【関連出願への相互参照】
【０００１】
[0001]本願は、２０１６年７月１５日付で出願された「REGISTRATION REJECT DUE TO CIOT FEATURE INCOMPATABILITY」と題する米国仮出願第６２／３６３，１８１号および２０１７年７月５日付で出願された「REGISTRATION REJECTION DUE TO CELLULAR INTERNET OF THINGS FEATURE INCOMPATIBILITY」と題する米国特許出願第１５／６４２，１８０号の利益を主張し、これらは、参照によって全体がここに明確に組み込まれる。
【技術分野】
【０００２】
[0002]本開示は一般に、通信システムに関し、より具体的には、セルラ式モノのインターネット（ＣＩｏＴ：cellular Internet of Things）機能の非互換性による登録拒否に関する。
【背景技術】
【０００３】
[0003]ワイヤレス通信システムは、電話通信、ビデオ、データ、メッセージング、およびブロードキャストのような様々な電気通信サービスを提供するために広く展開されている。典型的なワイヤレス通信システムは、利用可能なシステムリソースを共有することで複数のユーザとの通信をサポートする能力がある多元接続技術を用い得る。このような多元接続技術の例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムが含まれる。
【０００４】
[0004]これらの多元接続技術は、異なるワイヤレスデバイスが都市、国家、地域、さらには地球規模で通信することを可能にする共通プロトコルを提供するために、様々な電気通信規格に採用されている。例となる電気通信規格は、５Ｇ Ｎｅｗ Ｒａｄｉｏ（ＮＲ）である。５Ｇ ＮＲは、（例えば、モノのインターネット（ＩｏＴ）での）レイテンシ、信頼性、セキュリティ、スケーラビリティと関連する新たな要件および他の要件を満たすために、第３世代パートナーシッププロジェクト（３ＧＰＰ（登録商標））によって公表された連続的なモバイルブロードバンドの進化の一部である。５Ｇ ＮＲのいくつかの態様は、４Ｇロングタームエボリューション（ＬＴＥ（登録商標））規格に基づき得る。５Ｇ ＮＲ技術のさらなる改良が必要である。これらの改良は、他の多元接続技術にも、これらの技術を用いる電気通信規格にも適用可能であり得る。
【発明の概要】
【０００５】
[0005]以下に、１つまたは複数の態様の基本的な理解を提供するために、そのような態様の簡略化された概要を提示する。この概要は、企図されるすべての態様の広範な概観ではなく、また、すべての態様の主要なまたは重要なエレメントを識別するようにも、任意またはすべての態様の範囲を線引きするようにも意図されない。その唯一の目的は、後に提示されるより詳細な説明への前置きとして、１つまたは複数の態様のいくつかのコンセプトを簡略化された形式で提示することである。
【０００６】
[0006]ＣＩｏＴは、上位レイヤ（例えば、非アクセス層（ＮＡＳ）レイヤ）において特定のＣＩｏＴ機能を提供し得るワイヤレス通信技術の一種である。ＣＩｏＴ機能の非包括的なリストには、制御プレーン上でのデータ転送（例えば、制御プレーン（ＣＰ）ＣＩｏＴ最適化）、データがユーザプレーン上で送られるときの動作の停止（suspend）モード／再開（resume）モード（例えば、ユーザプレーン（ＵＰ）ＣＩｏＴ最適化）、パケットデータネットワーク（ＰＤＮ）接続性なしでのネットワークアタッチメント（例えば、ＰＤＮ接続なしに登録された、拡張された進化型パケットシステム（ＥＰＳ）モビリティ管理（ＥＭＭ））、ならびに回線交換（ＣＳ）サービスおよびパケット交換（ＰＳ）サービスの両方へのアタッチ（例えば、コンバインドアタッチ）なしでのショートメッセージサービス（ＳＭＳ）に対するサポートが含まれ得る。ＣＳサービスおよびＰＳサービスは互いに独立している可能性があるため、ＣＳサービスおよびＰＳサービスは、ＵＥによっておよびコアネットワークエンティティによって同時にサポートされている場合もされていない場合もある。特定の構成では、ＣＳサービスおよびＰＳサービスを管理するコアネットワークエンティティは、モビリティ管理エンティティ（ＭＭＥ）であり得る。
【０００７】
[0007]ユーザ機器（ＵＥ）が、ＣＩｏＴ機能のうちの１つを使用しようとネットワークへの登録を試みるとき、ＵＥは、ＵＥがＣＩｏＴ機能のうちのどれを使用しようとしているかを（例えば、コアネットワークエンティティに送られる）登録要求において示し得る。
【０００８】
[0008]ＵＥによって（例えば、コアネットワークエンティティに）送られる登録要求は、ＵＥが、ＰＤＮ接続性なしでのアタッチプロシージャ、ＣＰ ＣＩｏＴ最適化、およびＵＰ ＣＩｏＴ最適化のような、１つまたは複数のＣＩｏＴ機能をサポートすることを示し得る。加えて、登録要求は、ＵＥがＣＰ ＣＩｏＴ最適化を使用したいと望むことを示し得る。一構成では、コアネットワークエンティティは、コアネットワークエンティティによってサポートされているサポートＣＩｏＴ機能（supported CIoT feature）およびＵＥと関連する要求ＣＩｏＴ機能（requested CIoT feature）のリストを維持し得る。
【０００９】
[0009]コアネットワークエンティティは、ＵＥによって要求された機能（例えば、ＣＰ ＣＩｏＴ最適化）がコアネットワークエンティティによってサポートされているかどうかを決定し得、サポートされている場合、コアネットワークエンティティは、登録要求を受け入れ得る。コアネットワークエンティティが、要求された機能（例えば、ＣＰ ＣＩｏＴ最適化）をサポートしていないが、コアネットワークエンティティが、ＵＥが示したＣＩｏＴ機能のうちの１つをサポートしている場合、コアネットワークエンティティは、登録要求を受け入れ得る。
【００１０】
[0010]しかしながら、コアネットワークエンティティが、登録要求において示されるＵＥの要求ＣＩｏＴ機能（例えば、ＣＰ ＣＩｏＴ最適化）またはサポートＣＩｏＴ機能（例えば、ＰＤＮ接続性なしでのアタッチプロシージャ、ＣＰ ＣＩｏＴ最適化、およびＵＰ ＣＩｏＴ最適化）をいずれもサポートしていない場合、コアネットワークエンティティは、ＵＥの登録を拒否する登録拒否メッセージを送り得る。しかしながら、登録拒否メッセージが、登録拒否の理由（例えば、現在のＰＬＭＮおよび／またはＴＡがＵＥのサポートＣＩｏＴ機能をいずれもサポートしていないこと）を示さないため、ＵＥは、現在のＰＬＭＮおよび／または現在の追跡エリア（ＴＡ：tracking area）にアタッチしようと試み続け得、これは、ＵＥがネットワークにアタッチするのに必要とされる時間を増加させ得る。
【００１１】
[0011]本開示は、ＵＥのＣＩｏＴ機能をサポートしているＰＬＭＮおよび／またはＴＡにアタッチすることをＵＥに行わせ得る原因値（cause value）を登録拒否メッセージ中に含めることによるソリューションを提供する。例えば、第１の原因値は、別のＰＬＭＮを選択することをＵＥに行わせるために、登録拒否メッセージ中に含まれ得る。代替的に、第２の原因値は、同じＰＬＭＮ中の別のＴＡを選択することをＵＥに行わせるために、登録拒否メッセージに含まれ得る。登録拒否メッセージにおいて原因値を提供することで、下位互換性問題が矮小化され得、ＣＩｏＴネットワークに対する開発努力が削減され得、未定義のＵＥ挙動が低減され得、失敗に終わった登録試行を再び試みるために費やされる時間および登録要求を受け入れることができるネットワークをサーチする時間が減らされ得る。
【００１２】
[0012]本開示の態様では、ワイヤレス通信のための方法、コンピュータ読取可能な媒体、および装置が提供される。装置は、要求される機能を含む登録要求をＵＥから受信し得る。一態様では、要求される機能は、ＣＩｏＴ最適化機能を含み得る。特定の他の態様では、ＣＩｏＴ最適化機能は、少なくとも、要求されるＥＰＳ最適化を含み得る。特定の他の態様では、装置は、要求される機能に基づいて、登録要求を拒否すると決定し得る。特定の他の態様では、装置は、複数の原因値から、ＵＥへの登録拒否メッセージ中に含める１つの原因値を選択し得る。特定の他の態様では、複数の原因値は、少なくとも、第１の原因値および第２の原因値を含み得る。特定の他の態様では、第１の原因値は、原因値番号を含み得る。特定の他の態様では、第２の原因値は、拡張ＥＭＭ原因情報エレメントを含む。特定の他の態様では、原因値番号は、原因値＃１５であり得る。特定の他の態様では、第１の原因値は、追跡エリア中に適切なセルが存在しないことを示し得る。特定の他の態様では、第２の原因値は、要求されるＥＰＳ最適化がサポートされていないことを示し得る。特定の他の態様では、装置は、登録拒否メッセージをＵＥに送り得る。
【００１３】
[0013]特定の他のインプリメンテーションでは、装置は、要求される機能を含む登録要求をコアネットワークエンティティに送信し得る。特定の態様では、要求される機能は、ＣＩｏＴ最適化機能を含み得る。特定の他の態様では、ＣＩｏＴ最適化機能は、要求されるＥＰＳ最適化を含み得る。特定の他の態様では、装置は、原因値を含む登録拒否メッセージを受信し得る。特定の他の態様では、原因値は、第１の原因値または第２の原因値のうちの１つを含み得る。特定の他の態様では、第１の原因値は、原因値番号を含み得る。特定の他の態様では、第２の原因値は、拡張ＥＭＭ原因情報エレメントを含む。特定の他の態様では、原因値番号は、原因値＃１５であり得る。特定の他の態様では、第１の原因値は、追跡エリア中に適切なセルが存在しないことを示し得る。特定の他の態様では、第２の原因値は、要求されるＥＰＳ最適化がサポートされていないことを示し得る。特定の他の態様では、装置は、原因値に基づいて、現在のＰＬＭＮの別の追跡エリアをサーチするかどうかを決定し得る。
【００１４】
[0014]前述した目的および関連する目的を達成するために、１つまたは複数の態様は、以下で十分に説明されかつ特許請求の範囲において特に指摘される特徴を備える。以下の説明および添付の図面は、１つまたは複数の態様の実例となる特定の特徴を詳細に示す。しかしながら、これらの特徴は、様々な態様の原理が用いられ得る様々な方法のうちのほんの一部を示しており、この説明は、すべてのこのような態様およびそれらの同等物を含むように意図される。
【図面の簡単な説明】
【００１５】
【図１】[0015]図１は、ワイヤレス通信システムおよびアクセスネットワークの例を例示する図である。
【図２Ａ】[0016]図２Ａは、ＬＴＥのＤＬフレーム構造の例を例示する図である。
【図２Ｂ】図２Ｂは、ＬＴＥのＤＬフレーム構造内のＤＬチャネルの例を例示する図である。
【図２Ｃ】図２Ｃは、ＬＴＥのＵＬフレーム構造の例を例示する図である。
【図２Ｄ】図２Ｄは、ＬＴＥのＵＬフレーム構造内のＵＬチャネルの例を例示する図である。
【図３】[0017]図３は、アクセスネットワークにおける発展型ノードＢ（ｅＮＢ）およびＵＥの例を例示する図である。
【図４】[0018]図４は、ワイヤレス通信システムにおいてデバイスおよびネットワークによってサポートされている機能間の非互換性を処理する例を例示する図である。
【図５】[0019]図５は、ワイヤレス通信の方法のフローチャートである。
【図６】[0020]図６は、例示的な装置内の種々の手段／構成要素間のデータフローを例示する概念的なデータフロー図である。
【図７】[0021]図７は、処理システムを用いる装置についてのハードウェアインプリメンテーションの例を例示する図である。
【図８】[0022]図８は、ワイヤレス通信の方法のフローチャートである。
【図９】[0023]図９は、例示的な装置内の種々の手段／構成要素間のデータフローを例示する概念的なデータフロー図である。
【図１０】[0024]図１０は、処理システムを用いる装置についてのハードウェアインプリメンテーションの例を例示する図である。
【詳細な説明】
【００１６】
[0025]添付の図面に関連して以下に示される詳細な説明は、様々な構成の説明として意図されるものであり、本明細書で説明されるコンセプトが実施され得る唯一の構成を表すように意図されるものではない。詳細な説明は、様々なコンセプトの完全な理解を提供するために具体的な詳細を含む。しかしながら、これらのコンセプトがこれらの具体的な詳細なしに実施され得ることは、当業者に明らかになるであろう。いくつかの事例では、そのような概念を曖昧にしないために、周知の構造および構成要素はブロック図の形式で示される。
【００１７】
[0026]電気通信システムのいくつかの態様が、様々な装置および方法を参照してこれより提示されるであろう。これらの装置および方法は、以下の詳細な説明で説明され、様々なブロック、構成要素、回路、プロセス、アルゴリズム、等（総称して「エレメント」と呼ばれる）によって添付の図面に例示される。これらのエレメントは、電子ハードウェア、コンピュータソフトウェア、またはそれらの任意の組合せを使用してインプリメントされ得る。そのようなエレメントがハードウェアとしてインプリメントされるかソフトウェアとしてインプリメントされるかは、特定の用途およびシステム全体に課される設計制約に依存する。
【００１８】
[0027]例として、１つのエレメント、または１つのエレメントの任意の部分、または複数のエレメントの任意の組合せは、１つまたは複数のプロセッサを含む「処理システム」としてインプリメントされ得る。プロセッサの例には、マイクロプロセッサ、マイクロコントローラ、グラフィックスプロセッシングユニット（ＧＰＵ）、中央処理装置（ＣＰＵ）、アプリケーションプロセッサ、デジタルシグナルプロセッサ（ＤＳＰ）、ＲＩＳＣ（reduced instruction set computing）プロセッサ、システムオンチップ（ＳｏＣ）、ベースバンドプロセッサ、フィールドプログラマブルゲートアレイ（ＦＰＧＡ）、プログラマブル論理デバイス（ＰＬＤ）、ステートマシン、ゲートロジック、ディスクリートハードウェア回路、および本開示全体にわたって説明される様々な機能性を実行するように構成された他の適切なハードウェアが含まれる。処理システム中の１つまたは複数のプロセッサはソフトウェアを実行し得る。ソフトウェアは、ソフトウェア、ファームウェア、ミドルウェア、マイクロコード、ハードウェア記述言語と呼ばれても、それ以外の名称で呼ばれても、命令、命令のセット、コード、コードセグメント、プログラムコード、プログラム、サブプログラム、ソフトウェア構成要素、アプリケーション、ソフトウェアアプリケーション、ソフトウェアパッケージ、ルーチン、サブルーチン、オブジェクト、実行ファイル、実行スレッド、プロシージャ、関数、等を意味すると広く解釈されるものとする。
【００１９】
[0028]したがって、１つまたは複数の例となる実施形態では、説明される機能は、ハードウェア、ソフトウェア、またはこれらの任意の組合せでインプリメントされ得る。ソフトウェアでインプリメントされる場合、これらの機能は、コンピュータ読取可能な媒体上に１つまたは複数の命令またはコードとして記憶または符号化され得る。コンピュータ読取可能な媒体はコンピュータ記憶媒体を含む。記憶媒体は、コンピュータによってアクセス可能な任意の利用可能な媒体であり得る。限定ではなく例として、そのようなコンピュータ読取可能な媒体は、ランダムアクセスメモリ（ＲＡＭ）、読取専用メモリ（ＲＯＭ）、電気的に消去可能なプログラマブルＲＯＭ（ＥＥＰＲＯＭ（登録商標））、光ディスク記憶装置、磁気ディスク記憶装置、他の磁気記憶デバイス、前述した種類のコンピュータ読取可能な媒体の組合せ、またはコンピュータによってアクセス可能な命令またはデータ構造の形式でコンピュータ実行可能コードを記憶するために使用されることができる任意の他の媒体を備えることができる。
【００２０】
[0029]図１は、ワイヤレス通信システムおよびアクセスネットワーク１００の例を例示する図である。（ワイヤレス広域ネットワーク（ＷＷＡＮ）とも呼ばれる）ワイヤレス通信システムは、基地局１０２と、ＵＥ１０４と、進化したパケットコア（ＥＰＣ）１６０とを含む。基地局１０２は、マクロセル（高電力セルラ基地局）および／またはスモールセル（低電力セルラ基地局）を含み得る。マクロセルは、基地局を含む。スモールセルは、フェムトセル、ピコセル、およびマイクロセルを含む。
【００２１】
[0030]（総称してＥ−ＵＴＲＡＮ（Evolved Universal Mobile Telecommunications System (UMTS) Terrestrial Radio Access Network）と呼ばれる）基地局１０２は、バックホールリンク１３２（例えば、Ｓ１インターフェース）を通してＥＰＣ１６０とインターフェース接続する。他の機能に加えて、基地局１０２は、次の機能のうちの１つまたは複数を実行し得る：ユーザデータの転送、無線チャネルの暗号化および解読、完全性保護（integrity protection）、ヘッダ圧縮、モビリティ制御機能（例えば、ハンドオーバ、デュアル接続性）、セル間干渉調整、接続セットアップおよびリリース、負荷バランシング、ＮＡＳメッセージのための分配、ＮＡＳノード選択、同期、無線アクセスネットワーク（ＲＡＮ）共有、マルチメディアブロードキャストマルチキャストサービス（ＭＢＭＳ）、加入者および機器トレース（subscriber and equipment trace）、ＲＡＮ情報管理（ＲＩＭ）、ページング、ポジショニング、および警告メッセージの配信。基地局１０２は、バックホールリンク１３４（例えば、Ｘ２インターフェース）上で互いに直接的にまたは間接的に（例えば、ＥＰＣ１６０を通して）通信し得る。バックホールリンク１３４は、ワイヤードまたはワイヤレスであり得る。
【００２２】
[0031]基地局１０２は、ＵＥ１０４とワイヤレスに通信し得る。基地局１０２の各々は、それぞれの地理的なカバレッジエリア１１０に通信カバレッジを提供し得る。地理的なカバレッジエリア１１０は重なっているであろう。例えば、スモールセル１０２’は、１つまたは複数のマクロ基地局１０２のカバレッジエリア１１０と重なるカバレッジエリア１１０’を有し得る。スモールセルおよびマクロセルの両方を含むネットワークは、異種ネットワークとして知られているであろう。異種ネットワークはまた、ホーム発展型ノードＢ（ｅＮＢ）（ＨｅＮＢ）を含み得、それらは、クローズド加入者グループ（ＣＳＧ）として知られている制限されたグループにサービスを提供し得る。基地局１０２とＵＥ１０４との間の通信リンク１２０は、ＵＥ１０４から基地局１０２への（逆方向リンクとも呼ばれる）アップリンク（ＵＬ）送信、および／または、基地局１０２からＵＥ１０４への（順方向リンクとも呼ばれる）ダウンリンク（ＤＬ）送信を含み得る。通信リンク１２０は、空間多重化、ビームフォーミング、および／または送信ダイバーシティを含む、多入力多出力（ＭＩＭＯ）アンテナ技術を使用し得る。通信リンクは、１つまたは複数のキャリアを通り得る。基地局１０２／ＵＥ１０４は、各方向への送信のために使用される最大で合計Ｙｘ ＭＨｚ（ｘ個のコンポーネントキャリア）のキャリアアグリゲーションにおいて割り当てられる、１キャリアあたり最大でＹ ＭＨｚ（例えば、５、１０、１５、２０、１００ＭＨｚ）の帯域幅のスペクトルを使用し得る。キャリアは、互いに隣接している場合もしていない場合もある。キャリアの割振りは、ＤＬおよびＵＬに対して非対称であり得る（例えば、ＵＬの場合より多いまたは少ないキャリアがＤＬに割り振られ得る）。コンポーネントキャリアは、プライマリコンポーネントキャリアおよび１つまたは複数のセカンダリコンポーネントキャリアを含み得る。プライマリコンポーネントキャリアは、プライマリセル（ＰＣｅｌｌ）と呼ばれ得、セカンダリコンポーネントキャリアは、セカンダリセル（ＳＣｅｌｌ）と呼ばれ得る。
【００２３】
[0032]特定のＵＥ１０４は、デバイス・ツー・デバイス（Ｄ２Ｄ）通信リンク１９２を使用して互いに通信し得る。Ｄ２Ｄ通信リンク１９２は、ＤＬ／ＵＬ ＷＷＡＮスペクトルを使用し得る。Ｄ２Ｄ通信リンク１９２は、物理サイドリンクブロードキャストチャネル（ＰＳＢＣＨ）、物理サイドリンク発見チャネル（ＰＳＤＣＨ）、物理サイドリンク共有チャネル（ＰＳＳＣＨ）、および物理サイドリンク制御チャネル（ＰＳＣＣＨ）のような１つまたは複数のサイドリンクチャネルを使用し得る。Ｄ２Ｄ通信は、例えば、ＦｌａｓｈＬｉｎＱ、ＷｉＭｅｄｉａ、Ｂｌｕｅｔｏｏｔｈ（登録商標）、ＺｉｇＢｅｅ、ＩＥＥＥ８０２．１１規格に基づいたＷｉ−Ｆｉ、ＬＴＥ、またはＮＲのような様々なワイヤレスＤ２Ｄ通信システムを通り得る。
【００２４】
[0033]ワイヤレス通信システムは、５ＧＨｚアンライセンス周波数スペクトルにおける通信リンク１５４を介してＷｉ−Ｆｉ局（ＳＴＡ）１５２と通信するＷｉ−Ｆｉアクセスポイント（ＡＰ）１５０をさらに含み得る。アンライセンス周波数スペクトルで通信するとき、ＳＴＡ１５２／ＡＰ１５０は、チャネルが利用可能であるかどうか決定するために、通信するより前にクリアチャネルアセスメント（ＣＣＡ）を実行し得る。
【００２５】
[0034]スモールセル１０２’は、ライセンスおよび／またはアンライセンス周波数スペクトルで動作し得る。アンライセンス周波数スペクトルで動作するとき、スモールセル１０２’は、ＮＲを用い、Ｗｉ−Ｆｉ ＡＰ１５０によって使用されるものと同じ５ＧＨｚアンライセンス周波数スペクトルを使用し得る。アンライセンス周波数スペクトルでＮＲを用いるスモールセル１０２’は、アクセスネットワークに対するカバレッジを強化（boost）し得る、および／または、アクセスネットワークの容量を増加させ得る。
【００２６】
[0035]ｇノードＢ（ｇＮＢ）１８０は、ＵＥ１０４との通信の際に、ミリ波（ｍｍＷ）周波数および／またはニア（near）ｍｍＷ周波数で動作し得る。ｇＮＢ１８０が、ｍｍＷまたはニアｍｍＷ周波数で動作するとき、ｇＮＢ１８０は、ｍｍＷ基地局と呼ばれ得る。極高周波（ＥＨＦ：extremely high frequency）は、電磁スペクトルにおけるＲＦの一部である。ＥＨＦは、３０ＧＨｚ〜３００ＧＨｚの範囲および１ミリメートル〜１０ミリメートルの波長を有する。その帯域における電波（radio wave）は、ミリメートル波と呼ばれ得る。ニアｍｍＷは、１００ミリメートルの波長をもつ３ＧＨｚの周波数まで下方に広がり得る。超高周波（ＳＨＦ：super high frequency）帯域は、３ＧＨｚから３０ＧＨｚまで広がり、センチメートル波とも呼ばれる。ｍｍＷ／ニアｍｍＷ無線周波数帯域を使用する通信は、極めて高いパスロスとショートレンジ（short range）を有する。ｍｍＷ基地局１８０は、これらの極めて高いパスロスおよびショートレンジを補償するために、ＵＥ１０４とビームフォーミング１８４を利用し得る。
【００２７】
[0036]ＥＰＣ１６０は、ＭＭＥ１６２、他のＭＭＥ１６４、サービングゲートウェイ１６６、マルチメディアブロードキャストマルチキャストサービス（ＭＢＭＳ）ゲートウェイ１６８、ブロードキャストマルチキャストサービスセンタ（ＢＭ−ＳＣ）１７０、およびＰＤＮゲートウェイ１７２を含み得る。ＭＭＥ１６２は、ホーム加入者サーバ（ＨＳＳ）１７４と通信し得る。ＭＭＥ１６２は、ＵＥ１０４とＥＰＣ１６０の間のシグナリングを処理する制御ノードである。一般に、ＭＭＥ１６２は、ベアラおよび接続管理を提供する。すべてのユーザインターネットプロトコル（ＩＰ）パケットは、サービングゲートウェイ１６６を通して転送され、このサービングゲートウェイ１６６はそれ自体がＰＤＮゲートウェイ１７２に接続されている。ＰＤＮゲートウェイ１７２は、ＵＥ ＩＰアドレス割振りに加え、他の機能も提供する。ＰＤＮゲートウェイ１７２およびＢＭ−ＳＣ１７０は、ＩＰサービス１７６に接続されている。ＩＰサービス１７６は、インターネット、イントラネット、ＩＰマルチメディアサブシステム（ＩＭＳ）、ＰＳストリーミングサービス、および／または他のＩＰサービスを含み得る。ＢＭ−ＳＣ１７０は、ＭＢＭＳユーザサービスプロビジョニングおよび配信のための機能を提供し得る。ＢＭ−ＳＣ１７０は、コンテンツプロバイダＭＢＭＳ送信のためのエントリポイントとしての役割を果たし得、地上波公共移動通信ネットワーク（ＰＬＭＮ）内でＭＢＭＳベアラサービスを認可および開始するために使用され得、ＭＢＭＳ送信をスケジューリングするために使用され得る。ＭＢＭＳゲートウェイ１６８は、特定のサービスをブロードキャストするマルチキャストブロードキャスト単一周波数ネットワーク（ＭＢＳＦＮ）エリアに属している基地局１０２にＭＢＭＳトラフィックを分配するために使用され得、セッション管理（開始／停止）とｅＭＢＭＳ関連の課金情報の収集とを担い得る。
【００２８】
[0037]基地局は、ｇＮＢ、ノードＢ、発展型ノードＢ（ｅＮＢ）、アクセスポイント、トランシーバ基地局、無線基地局、無線トランシーバ、トランシーバ機能、基本サービスセット（ＢＳＳ）、拡張サービスセット（ＥＳＳ）、または何らかの他の適切な専門用語でも呼ばれ得る。基地局１０２は、ＵＥ１０４に、ＥＰＣ１６０へのアクセスポイントを提供する。ＵＥ１０４の例には、セルラ電話、スマートフォン、セッション開始プロトコル（ＳＩＰ）電話、ラップトップ、携帯情報端末（ＰＤＡ）、衛星無線機、全地球測位システム、マルチメディアデバイス、ビデオデバイス、デジタルオーディオプレーヤ（例えば、ＭＰ３プレーヤ）、カメラ、ゲーム機、タブレット、スマートデバイス、ウェアラブルデバイス、ビークル、電気計器、ガスポンプ、トースタ、または任意の他の同様に機能するデバイスが含まれる。ＵＥ１０４のうちのいくつかは、ＩｏＴデバイス（例えば、パーキングメータ、ガスポンプ、トースタ、ビークル、等）と呼ばれ得る。ＵＥ１０４は、局、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の適切な用語でも呼ばれ得る。
【００２９】
[0038]図１を再度参照すると、特定の態様では、ＵＥ１０４またはネットワーク（例えば、ＭＭＥ１６２）は、ＣＩｏＴ機能の非互換性による登録拒否を管理する（１９８）ように構成され得る。１９８において実行される動作の詳細は、図４〜１２を参照して以下にさらに説明されるであろう。
【００３０】
[0039]図２Ａは、ＬＴＥにおけるＤＬフレーム構造の例を例示する図２００である。図２Ｂは、ＬＴＥにおけるＤＬフレーム構造内のチャネルの例を例示する図２３０である。図２Ｃは、ＬＴＥにおけるＵＬフレーム構造の例を例示する図２５０である。図２Ｄは、ＬＴＥにおけるＵＬフレーム構造内のチャネルの例を例示する図２８０である。他のワイヤレス通信技術は、異なるフレーム構造および／または異なるチャネルを有し得る。ＬＴＥでは、１フレーム（１０ｍｓ）が、１０個の等しいサイズのサブフレームに分割され得る。各サブフレームは、２つの連続したタイムスロットを含み得る。１つのリソースグリッドは、２つの時間スロットを表すために使用され得、各時間スロットは、（物理リソースブロック（ＲＢ）（ＰＲＢ）とも呼ばれる）１つまたは複数の時間的に並行の（time concurrent）ＲＢを含む。リソースグリッドは、複数のリソースエレメント（ＲＥ）に分割される。ＬＴＥでは、通常のサイクリックプレフィックスの場合、ＲＢは、周波数ドメインに１２個の連続したサブキャリアと時間ドメインに７つの連続したシンボル（ＤＬではＯＦＤＭシンボル、ＵＬではＳＣ−ＦＤＭＡシンボル）の合計８４個のＲＥを含む。拡張サイクリックプレフィックスの場合、１つのＲＢは、周波数ドメインに１２個の連続したサブキャリアと時間ドメインに６個の連続したシンボルの合計７２個のＲＥを含む。各ＲＥによって搬送されるビット数は、変調スキームに依存する。
【００３１】
[0040]図２Ａに例示されるように、ＲＥのうちのいくつかは、ＵＥでのチャネル推定のためにＤＬ基準（パイロット）信号（ＤＬ−ＲＳ）を搬送する。ＤＬ−ＲＳは、（共通ＲＳとも呼ばれることがある）セル固有基準信号（ＣＲＳ）、ＵＥ固有基準信号（ＵＥ−ＲＳ）、およびチャネル状態情報基準信号（ＣＳＩ−ＲＳ）を含み得る。図２Ａは、（それぞれＲ０、Ｒ１、Ｒ２、およびＲ３と示される）アンテナポート０、１、２、および３についてのＣＲＳ、（Ｒ５と示される）アンテナポート５についてのＵＥ−ＲＳ、および（Ｒと示される）アンテナポート１５についてのＣＳＩ−ＲＳを例示する。図２Ｂは、フレームのＤＬサブフレーム内の様々なチャネルの例を例示する。物理制御フォーマットインジケータチャネル（ＰＣＦＩＣＨ）は、スロット０のシンボル０内にあり、物理ダウンリンク制御チャネル（ＰＤＣＣＨ）が１つのシンボルを占有するか、２つのシンボルを占有するか、３つのシンボルを占有するかを示す制御フォーマットインジケータ（ＣＦＩ）を搬送する（図２Ｂは、３つのシンボルを占有するＰＤＣＣＨを例示する）。ＰＤＣＣＨは、１つまたは複数の制御チャネルエレメント（ＣＣＥ）内でダウンリンク制御情報（ＤＣＩ）を搬送し、各ＣＣＥは、９つのＲＥグループ（ＲＥＧ）を含み、各ＲＥＧは、ＯＦＤＭシンボル内に４つの連続したＲＥを含む。
ＵＥは、同じくＤＣＩを搬送するＵＥ固有のエンハンストＰＤＣＣＨ（ｅＰＤＣＣＨ）で構成され得る。ｅＰＤＣＣＨは、２、４、または８個のＲＢのペアを有し得る（図２Ｂは、２つのＲＢのペアを示し、各サブセットが１つのＲＢのペアを含む）。物理ハイブリッド自動再送要求（ＡＲＱ）（ＨＡＲＱ）インジケータチャネル（ＰＨＩＣＨ）もまた、スロット０のシンボル０内にあり、物理アップリンク共有チャネル（ＰＵＳＣＨ）に基づいて、ＨＡＲＱ確認応答（ＡＣＫ）／否定確認応答（ＮＡＣＫ）フィードバックを示すＨＡＲＱインジケータ（ＨＩ）を搬送する。プライマリ同期チャネル（ＰＳＣＨ）は、フレームのサブフレーム０および５内のスロット０のシンボル６内にあり、サブフレームタイミングおよび物理レイヤアイデンティティを決定するためにＵＥによって使用されるプライマリ同期信号（ＰＳＳ）を搬送する。セカンダリ同期チャネル（ＳＳＣＨ）は、フレームのサブフレーム０および５内のスロット０のシンボル５内にあり、物理レイヤセルアイデンティティグループ番号を決定するためにＵＥによって使用されるセカンダリ同期信号（ＳＳＳ）を搬送する。物理レイヤアイデンティティおよび物理レイヤセルアイデンティティグループ番号に基づいて、ＵＥは、物理セル識別子（ＰＣＩ）を決定することができる。ＰＣＩに基づいて、ＵＥは、前述したＤＬ−ＲＳの位置を決定することができる。物理ブロードキャストチャネル（ＰＢＣＨ）は、フレームのサブフレーム０のスロット１のシンボル０、１、２、３内にあり、マスタ情報ブロック（ＭＩＢ）を搬送する。ＭＩＢは、システムフレーム番号（ＳＦＮ）、ＰＨＩＣＨ構成、およびＤＬシステム帯域幅におけるＲＢの数を提供する。物理ダウンリンク共有チャネル（ＰＤＳＣＨ）は、ページングメッセージ、システム情報ブロック（ＳＩＢ）のようなＰＢＣＨを通して送信されないブロードキャストシステム情報、およびユーザデータを搬送する。
【００３２】
[0041]図２Ｃに例示されるように、ＲＥのうちのいくつかは、ｅＮＢでのチャネル推定のために復調基準信号（ＤＭ−ＲＳ）を搬送する。ＵＥは追加的に、サブフレームの最後のシンボルにおいてサウンディング基準信号（ＳＲＳ）を送信し得る。ＳＲＳは、コーム構造（comb structure）を有し得、ＵＥは、複数のコームのうちの１つ上でＳＲＳを送信し得る。ＳＲＳは、ＵＬ上での周波数依存型スケジューリングを可能にするためのチャネル品質推定のためにｅＮＢによって使用され得る。図２Ｄは、フレームのＵＬサブフレーム内の様々なチャネルの例を例示する。物理ランダムアクセスチャネル（ＰＲＡＣＨ）は、ＰＲＡＣＨ構成に基づいて、フレーム内の１つまたは複数のサブフレーム内にあり得る。ＰＲＡＣＨは、１つのサブフレーム内に６つの連続したＲＢのペアを含み得る。ＰＲＡＣＨは、ＵＥが初期システムアクセスを実行し、ＵＬ同期を達成することを可能にする。物理アップリンク制御チャネル（ＰＵＣＣＨ）は、ＵＬシステム帯域幅のエッジに位置し得る。ＰＵＣＣＨは、スケジューリング要求、チャネル品質インジケータ（ＣＱＩ）、プリコーディングマトリックスインジケータ（ＰＭＩ）、ランクインジケータ（ＲＩ）、およびＨＡＲＱ ＡＣＫ／ＮＡＣＫフィードバックのようなアップリンク制御情報（ＵＣＩ）を搬送する。ＰＵＳＣＨは、データを搬送し、追加的に、バッファステータス報告（ＢＳＲ）、電力ヘッドルーム報告（ＰＨＲ）、および／またはＵＣＩを搬送するために使用され得る。
【００３３】
[0042]図３は、アクセスネットワークにおいて、ＵＥ３５０と通信するｅＮＢ３１０のブロック図である。ＤＬでは、ＥＰＣ１６０からのＩＰパケットは、コントローラ／プロセッサ３７５に提供され得る。コントローラ／プロセッサ３７５は、レイヤ３およびレイヤ２の機能性（functionality）をインプリメントする。レイヤ３は、無線リソース制御（ＲＲＣ）レイヤを含み、レイヤ２は、パケットデータコンバージェンスプロトコル（ＰＤＣＰ）レイヤ、無線リンク制御（ＲＬＣ）レイヤ、および媒体アクセス制御（ＭＡＣ）レイヤを含む。コントローラ／プロセッサ３７５は、次のものを提供する：システム情報（例えば、ＭＩＢ、ＳＩＢ(ＳＩＢs)）のブロードキャスト、ＲＲＣ接続制御（例えば、ＲＲＣ接続ページング、ＲＲＣ接続確立、ＲＲＣ接続修正、およびＲＲＣ接続リリース）、インター無線アクセス技術（ＲＡＴ）モビリティ、およびＵＥ測定報告のための測定構成、と関連するＲＲＣレイヤの機能性；
ヘッダ圧縮／解凍、セキュリティ（暗号化、解読、完全性保護、完全性検証）、およびハンドオーバサポート機能、と関連するＰＤＣＰレイヤの機能性；
上位レイヤパケットデータユニット（ＰＤＵ）の転送、ＡＲＱによる誤り訂正、ＲＬＣサービスデータユニット（ＳＤＵ）の連結（concatenation）とセグメンテーションとリアセンブリ、ＲＬＣデータＰＤＵの再セグメンテーション、およびＲＬＣデータＰＤＵの並び替え、と関連するＲＬＣレイヤの機能性；
ならびに、論理チャネルとトランスポートチャネルとの間のマッピング、トランスポートブロック（ＴＢ）上へのＭＡＣ ＳＤＵの多重化、ＴＢからのＭＡＣ ＳＤＵの逆多重化、スケジューリング情報報告、ＨＡＲＱによる誤り訂正、優先処理、および論理チャネルの優先順位付け、と関連するＭＡＣレイヤの機能性。
【００３４】
[0043]送信（ＴＸ）プロセッサ３１６および受信（ＲＸ）プロセッサ３７０は、様々な信号処理機能と関連するレイヤ１の機能性をインプリメントする。物理（ＰＨＹ）レイヤを含むレイヤ１は、トランスポートチャネル上での誤り検出、トランスポートチャネルの前方誤り訂正（ＦＥＣ）コーディング／復号、インタリーブ、レートマッチング、物理チャネル上へのマッピング、物理チャネルの変調／復調、およびＭＩＭＯアンテナ処理を含み得る。ＴＸプロセッサ３１６は、様々な変調スキーム（例えば、二相位相シフトキーイング（ＢＰＳＫ）、直交位相シフトキーイング（ＱＰＳＫ）、Ｍ値位相シフトキーイング（Ｍ−ＰＳＫ）、Ｍ−ＱＡＭ(M-quadrature amplitude modulation））に基づいて信号コンステレーションへのマッピングをハンドリングする。コーディングおよび変調されたシンボルは、その後、並列ストリームに分けられ得る。その後、各ストリームは、ＯＦＤＭサブキャリアにマッピングされ、時間ドメインおよび／または周波数ドメインにおいて基準信号（例えば、パイロット）と多重化され、次に、逆高速フーリエ変換（ＩＦＦＴ）を使用して組み合わせられて（combined）、時間ドメインＯＦＤＭシンボルストリームを搬送する物理チャネルが生成され得る。このＯＦＤＭストリームは、空間的にプリコーディングされて、多数の空間ストリームが生成される。チャネル推定器３７４からのチャネル推定値は、コーディングおよび変調スキームを決定するため、および、空間処理のために使用され得る。チャネル推定値は、ＵＥ３５０によって送信されたチャネル条件フィードバックおよび／または基準信号から導出され得る。その後、各空間ストリームは、別個の送信機３１８ＴＸを介して異なるアンテナ３２０に提供され得る。各送信機３１８ＴＸは、送信のためにそれぞれの空間ストリームでＲＦキャリアを変調し得る。
【００３５】
[0044]ＵＥ３５０において、各受信機３５４ＲＸは、それのそれぞれのアンテナ３５２を通して信号を受信する。各受信機３５４ＲＸは、ＲＦキャリア上に変調された情報を復元し、この情報を受信（ＲＸ）プロセッサ３５６に提供する。ＴＸプロセッサ３６８およびＲＸプロセッサ３５６は、様々な信号処理機能と関連するレイヤ１の機能性をインプリメントする。ＲＸプロセッサ３５６は、ＵＥ３５０に宛てられている任意の空間ストリームを復元するために、この情報に対して空間処理を実行し得る。多数の空間ストリームがＵＥ３５０に宛てられている場合、それらは、ＲＸプロセッサ３５６によって、単一のＯＦＤＭシンボルストリームへと組み合わせられ得る。その後、ＲＸプロセッサ３５６は、高速フーリエ変換（ＦＦＴ）を使用して、ＯＦＤＭシンボルストリームを時間ドメインから周波数ドメインに変換する。周波数ドメインの信号は、ＯＦＤＭ信号のサブキャリアごとに別個のＯＦＤＭシンボルストリームを備える。各サブキャリア上のシンボル、および基準信号は、ｅＮＢ３１０によって送信された最も可能性の高い信号コンステレーションポイントを決定することによって復元および復調される。これらの軟判定は、チャネル推定器３５８によって計算されたチャネル推定値に基づき得る。その後、軟判定は、物理チャネル上でｅＮＢ３１０によって最初に送信されたデータおよび制御信号を復元するために、復号およびデインタリーブされる。その後、データおよび制御信号は、レイヤ３およびレイヤ２の機能性をインプリメントするコントローラ／プロセッサ３５９に提供される。
【００３６】
[0045]コントローラ／プロセッサ３５９は、プログラムコードおよびデータを記憶するメモリ３６０に関連付けられることができる。メモリ３６０は、コンピュータ読取可能な媒体とも呼ばれ得る。ＵＬでは、コントローラ／プロセッサ３５９は、トランスポートチャネルと論理チャネルとの間の逆多重化、パケットリアセンブリ、解読、ヘッダ解凍、および制御信号処理を提供して、ＥＰＣ１６０からのＩＰパケットを復元する。コントローラ／プロセッサ３５９はまた、ＨＡＲＱ動作をサポートするために、ＡＣＫおよび／またはＮＡＣＫプロトコルを使用した誤り検出を担う。
【００３７】
[0046]ｅＮＢ３１０によるＤＬ送信に関連して説明された機能性と同様に、コントローラ／プロセッサ３５９は、次のものを提供する：システム情報（例えば、ＭＩＢ、ＳＩＢ）取得、ＲＲＣ接続、および測定報告、と関連するＲＲＣレイヤの機能性；ヘッダ圧縮／解凍およびセキュリティ（暗号化、解読、完全性保護、完全性検証）、と関連するＰＤＣＰレイヤの機能性；上位レイヤＰＤＵの転送、ＡＲＱによる誤り訂正、ＲＬＣ ＳＤＵの連結とセグメンテーションとリアセンブリ、ＲＬＣデータＰＤＵの再セグメンテーション、およびＲＬＣデータＰＤＵの並び替え、と関連するＲＬＣレイヤの機能性；ならびに、論理チャネルとトランスポートチャネルとの間のマッピング、ＴＢ上へのＭＡＣ ＳＤＵの多重化、ＴＢからのＭＡＣ ＳＤＵの逆多重化、スケジューリング情報報告、ＨＡＲＱによる誤り訂正、優先処理、および論理チャネルの優先順位付け、と関連するＭＡＣレイヤの機能性。
【００３８】
[0047]ｅＮＢ３１０によって送信されたフィードバックまたは基準信号からチャネル推定器３５８によって導出されるチャネル推定値は、好適なコーディングおよび変調スキームを選択するため、および空間処理を容易にするために、ＴＸプロセッサ３６８によって使用され得る。ＴＸプロセッサ３６８によって生成された空間ストリームは、別個の送信機３５４ＴＸを経由して異なるアンテナ３５２に提供され得る。各送信機３５４ＴＸは、送信のためにそれぞれの空間ストリームでＲＦキャリアを変調し得る。
【００３９】
[0048]ＵＬ送信は、ＵＥ３５０における受信機機能に関連して説明されたのと同様の方法でｅＮＢ３１０において処理される。各受信機３１８ＲＸは、それのそれぞれのアンテナ３２０を通して信号を受信する。各受信機３１８ＲＸは、ＲＦキャリア上に変調された情報を復元し、この情報をＲＸプロセッサ３７０に提供する。
【００４０】
[0049]コントローラ／プロセッサ３７５は、プログラムコードおよびデータを記憶するメモリ３７６に関連付けられることができる。メモリ３７６は、コンピュータ読取可能な媒体とも呼ばれ得る。ＵＬでは、コントローラ／プロセッサ３７５は、ＵＥ３５０からのＩＰパケットを復元するために、トランスポートチャネルと論理チャネルとの間の逆多重化、パケットリアセンブリ、解読、ヘッダ解凍、制御信号処理を提供する。コントローラ／プロセッサ３７５からのＩＰパケットは、ＥＰＣ１６０に提供され得る。コントローラ／プロセッサ３７５はまた、ＨＡＲＱ動作をサポートするために、ＡＣＫおよび／またはＮＡＣＫプロトコルを使用した誤り検出を担う。
【００４１】
[0050]ＣＩｏＴは、上位レイヤ（例えば、ＮＡＳレイヤ）において特定のＣＩｏＴ機能を提供し得るワイヤレス通信技術の一種である。ＣＩｏＴ機能の非包括的なリストには、制御プレーン上でのデータ転送（例えば、ＣＰ ＣＩｏＴ最適化）、データがユーザプレーン上で送られるときの動作の停止モード／再開モード（例えば、ＵＰ ＣＩｏＴ最適化）、ＰＤＮ接続性なしでのネットワークアタッチメント（例えば、ＰＤＮ接続なしに登録されたＥＭＭ）、ならびにＣＳサービスおよびＰＳサービスの両方へのアタッチ（例えば、コンバインドアタッチ）なしでのＳＭＳに対するサポートが含まれ得る。ＣＳサービスおよびＰＳサービスは互いに独立している可能性があるため、ＣＳサービスおよびＰＳサービスは、ＵＥによっておよび／またはコアネットワークエンティティによって同時にサポートされている場合もされていない場合もある。特定の構成では、ＣＳサービスおよびＰＳサービスを管理するコアネットワークエンティティは、ＭＭＥであり得る。
【００４２】
[0051]ＵＥが、ネットワークに登録しようとおよびＣＩｏＴ機能のうちの１つまたは複数を使用しようと試みるとき、ＵＥは、ＵＥがＣＩｏＴ機能のうちのどれを使用しようとしているかを（例えば、コアネットワークエンティティに送られる）登録要求において示し得る。本明細書で使用される場合、「登録」は、アタッチプロシージャまたはＴＡ更新プロシージャを意味し得る。本明細書で使用される場合、「登録要求」および／または「登録拒否メッセージ」は、アタッチ要求メッセージ、アタッチ拒否メッセージ、追跡エリア更新（ＴＡＵ）要求メッセージ、および／またはＴＡＵ拒否メッセージを送ることを意味し得る。本明細書で使用される場合、「原因値（cause value）」は、原因情報エレメント（ＩＥ）を意味し得る。
【００４３】
[0052]ＵＥによって（例えば、コアネットワークエンティティに）送られる登録要求は、ＵＥが、ＰＤＮ接続性なしでのアタッチプロシージャ、ＣＰ ＣＩｏＴ最適化、およびＵＰ ＣＩｏＴ最適化をサポートすることを示し得る。加えて、登録要求は、ＵＥがＣＰ ＣＩｏＴ最適化を使用したいと望むことを示し得る。一構成では、コアネットワークエンティティは、コアネットワークエンティティによるサポートＣＩｏＴ機能およびＵＥと関連する要求ＣＩｏＴ機能のリストを維持し得る。
【００４４】
[0053]コアネットワークエンティティは、ＵＥによって要求された（１または複数の）ＣＩｏＴ機能（例えば、ＣＰ ＣＩｏＴ最適化）がコアネットワークエンティティによってサポートされているかどうかを決定し得、サポートされている場合、コアネットワークエンティティは、登録要求を受け入れ得る。コアネットワークエンティティが、（1つまたは複数の）要求された機能（例えば、ＣＰ ＣＩｏＴ最適化）をサポートしていないが、コアネットワークエンティティがＵＥの要求ＣＩｏＴ機能のうちの１つをサポートしている場合、コアネットワークエンティティは、登録要求を受け入れ得る。
【００４５】
[0054]しかしながら、コアネットワークエンティティが、登録要求において示されるＵＥの要求ＣＩｏＴ機能（例えば、ＣＰ ＣＩｏＴ最適化）またはＵＥのサポートＣＩｏＴ機能（例えば、ＰＤＮ接続性なしでのアタッチプロシージャ、ＣＰ ＣＩｏＴ最適化、およびＵＰ ＣＩｏＴ最適化）をいずれもサポートしていない場合、コアネットワークエンティティは、ＵＥの登録を拒否する登録拒否メッセージを送り得る。
【００４６】
[0055]しかしながら、登録拒否メッセージが、登録拒否の理由（例えば、現在のＰＬＭＮおよび／またはＴＡがＵＥのサポートＣＩｏＴ機能をいずれもサポートしていないこと）を示さないため、ＵＥは、現在のＰＬＭＮおよび／またはＴＡにアタッチしようと試み続け得、これは、ＵＥがネットワークにアタッチするのに必要とされる時間を増加させ得る。
【００４７】
[0056]特定のシナリオでは、ＣＩｏＴ機能の非互換性は、ネットワークによって検出されないであろう。例えば、ＣＩｏＴ機能の非互換性は、（１）ＵＥがコンバインドアタッチ（combined attach）なしでのＳＭＳを要求し、かつ、ネットワークがコンバインドアタッチなしでのＳＭＳをサポートしていないときおよび（２）ＵＥがＷＢ−Ｓ１モードで動作し、Ｓ１−Ｕデータ転送しかサポートしておらず、かつ、ネットワークがＳ１−Ｕデータ転送をサポートしていないとき、ネットワークによってＳＩＢインジケーションに基づいて検出され得る。さらに、ＣＩｏＴ最適化のためのネットワークサポートについてのＳＩＢインジケーションは、コアネットワーク能力が無線ネットワークにおいてアドバタイズされる希なケースを表す。ＳＩＢインジケーションは、無線ネットワークおよびコアネットワークにわたってＣＩｏＴ機能の調整された展開を必要とし得る。したがって、ネットワークとＵＥとの間のＣＩｏＴ機能の非互換性による登録要求を拒否する必要性は、ＳＩＢインジケーションがネットワークによって提供されるシナリオにおいて対処される必要があり得る。
【００４８】
[0057]本開示は、登録拒否メッセージに原因値を含めることによる、上述した問題に対するソリューションを提供する。原因値は、ＵＥのＣＩｏＴ機能をサポートするＰＬＭＮおよび／またはＴＡにアタッチすることをＵＥに行わせ得る。
【００４９】
[0058]一構成では、登録要求に含まれているＵＥの要求ＣＩｏＴ機能およびＵＥのサポートＣＩｏＴ機能と関連する情報は、好ましいネットワーク挙動をコアネットワークエンティティに示し得る。登録要求に含まれている好ましいネットワーク挙動（例えば、登録要求に含まれているＵＥのサポートＣＩｏＴ機能）がコアネットワークエンティティのサポートＣＩｏＴ機能と互換性がない（例えば、ＵＥは、ＣＰ ＣＩｏＴ最適化に対するサポートを示し、コアネットワークエンティティは、ＵＰ ＣＩｏＴ最適化しかサポートしていない）場合、コアネットワークエンティティは、好適な原因値（例えば、現在のＰＬＭＮおよび／または現在のＴＡに登録しようと試みることを回避する原因値）を有する登録拒否メッセージを拒否し得る。
【００５０】
[0059]例えば、別のＰＬＭＮを選択することをＵＥに行わせるために、第１の原因値が登録拒否メッセージに含まれ得る。代替的に、同じＰＬＭＮ中の別のＴＡを選択することをＵＥに行わせるために、第２の原因値が登録拒否メッセージに含まれ得る。
【００５１】
[0060]登録拒否メッセージ中に原因値を提供することで、下位互換性問題（例えば、新たなＵＥが新たな機能を利用することができ得る一方で、新たな機能を無視することによってレガシ技法を使用することで機能することができるレガシＵＥの能力）が矮小化され得、ＣＩｏＴネットワークに対する開発努力が削減され得、未定義のＵＥ挙動が低減され得、失敗に終わった登録試行を再び試みるために費やされる時間および登録要求を受け入れることができるネットワークをサーチする時間が減らされ得る。
【００５２】
[0061]図４は、ワイヤレス通信システム４００においてデバイスおよびネットワークによってサポートされている機能間の非互換性を処理する例を例示する図である。この例では、ワイヤレス通信システム４００は、ＵＥ４０６（例えば、ＵＥ１０４、３５０、４０６、６５０、装置９０２／９０２’）と、コアネットワークエンティティ４０２（例えば、ＭＭＥ１６２、コアネットワークエンティティ４０２、９５０、装置６０２／６０２’、５Ｇ ＮＲネットワークにおけるコアネットワークエンティティ）とを含み得る。
【００５３】
[0062]４１０において、ＵＥ４０６は、ＣＩｏＴ機能についての要求を含む登録要求をコアネットワークエンティティ４０２に送り得る。例えば、登録要求において示され得るＣＩｏＴ最適化機能は、ＰＤＮ接続性なしでのアタッチプロシージャ、ＣＰ ＣＩｏＴ最適化、ＵＰ ＣＩｏＴ最適化、コンバインドアタッチなしでのＳＭＳ、および／またはＳ１−Ｕデータ転送に対するサポートを含む。
【００５４】
[0063]４１２において、コアネットワークエンティティ４０２は、ＵＥ４０６からの登録要求を拒否すると決定し得る。一構成では、コアネットワークエンティティ４０２は、ＵＥの要求ＣＩｏＴ機能とコアネットワークエンティティ４０２のサポートＣＩｏＴ機能との間に互換性があるかどうかを決定し得る。ＵＥ４０６とコアネットワークエンティティ４０２との間にＣＩｏＴ機能の互換性がない場合、コアネットワークエンティティ４０２は、登録要求を拒否すると決定し得る。
【００５５】
[0064]特定のシナリオでは、コアネットワークエンティティ４０２は、どのＣＩｏＴ機能がコアネットワークエンティティ４０２によってサポートされているかをＳＩＢ（例えば、周りのＵＥにブロードキャストまたは送信されるＳＩＢインジケーション）において１つまたは複数のＵＥに示し得る。特定のシナリオでは、コアネットワークエンティティ４０２とＵＥ４０６との間のＣＩｏＴ機能の非互換性は、ＳＩＢインジケーションに基づいて検出されない可能性がある。ＣＩｏＴ機能の非互換性が検出されない可能性があるシナリオには、（１）ネットワークがＵＥによって要求されるコンバインドアタッチなしでのＳＭＳをサポートしていないときおよび（２）ネットワークがＳ１−Ｕデータ転送をサポートしておらず、かつ、ＵＥがＷＢ−Ｓ１モードで動作し、Ｓ１−Ｕデータ転送しかサポートしていないときが含まれる。
【００５６】
[0065]さらに、サポートＣＩｏＴ機能を示すＳＩＢインジケーションは、無線ネットワーク能力がネットワークにおいてアドバタイズされるケースを表し得る。ＳＩＢインジケーションは、無線ネットワークおよびコアネットワークにわたってＣＩｏＴ機能の十分に調整された展開を使用し得る。ＳＩＢインジケーションは、無線ネットワークの観点から絶対不可欠な機能でもさらには必要とされる機能でもないであろう。無線ネットワークは、ＵＥと無線経由で通信する基地局（例えば、セル）を含み得る。基地局は、ネットワークエンティティ（例えば、ＭＭＥ、ＨＳＳ、等）を含み得るコアネットワークに（例えば、ワイヤライン上で）接続され得る。コアネットワークは、サブスクリプションデータ、アクセス制御、等を管理し、外部ネットワーク（例えば、インターネット）と通信し得る。
【００５７】
[0066]４１６において、コアネットワークエンティティ４０２は、登録拒否メッセージに含まれるべき原因値を選択し得る。一構成では、コアネットワークエンティティ４０２は、どの原因値を登録拒否メッセージ中に含めるかを、（１）ＵＥ４０６が狭帯域（ＮＢ）Ｓ１（ＮＢ−Ｓ１）モードであるか、広帯域（ＷＢ）Ｓ１（ＷＢ−Ｓ１）モードであるか（例えば、コアネットワークエンティティ４０２は、ＵＥ４０６がＮＢ−Ｓ１モードで動作するかＷＢ−Ｓ１モードで動作するかを示す情報を無線ネットワークから受信し得る）、（２）ＵＥ４０６が登録しようと試みるであろう現在のＰＬＭＮの同じエリア内の（例えば、別の周波数における）別の追跡エリアの利用可能性、等のような、ローカル展開におけるサポートＣＩｏＴ機能についての知識、および／または（３）コアネットワークエンティティ４０２において利用可能な他の情報、のうちの１つまたは複数に基づいて決定し得る。
【００５８】
[0067]登録要求および／またはＴＡ更新要求が、ＵＥ４０６によってサポートされるＣＩｏＴ機能（例えば、ＣＩｏＴ ＥＰＳ最適化）とネットワークによってサポートされるＣＩｏＴ機能と間の非互換性により拒否される場合、コアネットワークエンティティ４０２は、ＥＭＭ原因値を、「追跡エリアに適切なセルなし」を示す＃１５に設定し得る。ＵＥ４０６が、（例えば、現在のＰＬＭＮの別のＴＡ中の適切なセルをサーチするよりむしろ）別のＰＬＭＮをサーチする必要があるとコアネットワークエンティティ４０２が決定する場合、コアネットワークエンティティ４０２は、「要求されたＥＰＳ最適化はサポートされていない」を示す値を有する拡張ＥＭＭ原因ＩＥを含め得る。
【００５９】
[0068]ＵＥ４０６が、登録を試みるのに値する別のＴＡ（例えば、ＵＥ４０６のサポートＣＩｏＴ機能をサポートしているＴＡ）を見つけないであろうことをコアネットワークエンティティ４０２が決定する場合、コアネットワークエンティティ４０２は、別のネットワーク（例えば、別のＰＬＭＮ）を選択することをＵＥ４０６に行わせる原因値を登録拒否メッセージ中に含め得る。別のＰＬＭＮを選択することをＵＥ４０６に行わせるために、第１の構成では、「要求されたＥＰＳ最適化はサポートされていない」に設定された拡張ＥＭＭ原因ＩＥをもつ原因値＃１５（例えば、新たな値）が、コアネットワークエンティティ４０２によって登録拒否メッセージに含まれ得る。別のＰＬＭＮを選択することをＵＥ４０６に行わせるために、第２の構成では、「要求されたＥＰＳ最適化はサポートされていない」を示す新たな原因値（例えば、新たな原因値＃ｘｙ）がコアネットワークエンティティ４０２によって選択され、登録拒否メッセージに含まれ得る。
【００６０】
[0069]第１の構成と関連する１つの利点は、「要求されたＥＰＳ最適化はサポートされていない」に設定された拡張ＥＭＭ原因ＩＥを有する原因値＃１５がレガシＵＥと下位互換性（backward compatible）を有することであり得る。すなわち、レガシＵＥは、「要求されたＥＰＳ最適化はサポートされていない」に設定された拡張ＥＭＭ原因ＩＥにおける新たな値を無視し、原因値＃１５に対応するレガシ挙動を使用し得る。第２の構成と関連する１つの利点は、新たな原因値＃ｘｙが、完全に専用のＵＥ挙動を定義するために使用され得ることを含み得る。以下に記載の表１は、拡張ＥＭＭ原因ＩＥに関するさらなる詳細を含む。
【００６１】
【表１】
2019525584.tif 000003
【００６２】
[0070]上記表１から分かるように、拡張ＥＭＭ原因ＩＥは、具体的な情報をＵＥ４０６に伝達するために特定のビットが使用されるビットマップを含み得る。特に、拡張ＥＭＭ原因ＩＥのオクテット１のビット２は、登録拒否メッセージが、ＵＥ４０によって要求されたＣＩＯＴ機能がネットワークによってサポートされていないことによるものかどうかをＵＥ４０６に示すために使用され得る。ビットが「０」に設定されるとき、拡張ＥＭＭ原因ＩＥは、拒否の理由に関する具体的な情報を少しも含んでいない。ビットが「１」に設定されるとき、拒否は、ＵＥ４０６によって要求されたＣＩｏＴ機能がネットワークによってサポートされていないことによることによるものである。
【００６３】
[0071]ＵＥ４０６が、登録を試みるのに値する別のＴＡ（例えば、ＵＥの要求ＣＩｏＴ機能および／またはサポートＣＩｏＴ機能をサポートしているＴＡ）を見つけ得ることをコアネットワークエンティティ４０２が決定する場合、コアネットワークエンティティ４０２は、同じネットワーク（例えば、現在のＰＬＭＮ）中の別のＴＡを選択することをＵＥ４０６に行わせる原因値を選択し得る。例えば、「要求されたＥＰＳ最適化はサポートされていない」に設定された拡張ＥＭＭ原因値を有さない原因値＃１５またはこの拒否シナリオ専用の新たな原因値（例えば、新たな原因値＃ｘｙ）が選択され得る。
【００６４】
[0072]４１８において、コアネットワークエンティティ４０２は、選択された原因値を含む登録拒否メッセージをＵＥ４０６に送り得る。
【００６５】
[0073]４２０において、ＵＥ４０６は、登録拒否メッセージに含まれている原因値に基づいてその挙動を決定し得る。登録拒否メッセージにおいて受信された原因値に依存して、ＵＥ４０６は、（例えば、原因値＃１５が、「要求されたＥＰＳ最適化はサポートされていない」に設定された拡張ＥＭＭ原因値なしに受信されるとき）別のＴＡをサーチするか、または（例えば、原因値＃１５が、「要求されたＥＰＳ最適化はサポートされていない」に設定された拡張ＥＭＭ原因値とともに受信されるとき）別のＰＬＭＮをサーチし得る。別の例では、ＵＥ４０６は、既存の原因値（例えば、＃１５）が（オプションの拡張ＥＭＭ原因値とともに）受信されるときには別のＴＡをサーチし、新たな原因値（例えば、＃ｘｙ）が受信されるときには別のＰＬＭＮをサーチし得る。一構成では、ＵＥは、異なるＴＡにある他の利用可能なセルをサーチおよび／またはスキャンすることで同じＰＬＭＮ中の別のＴＡをサーチし得る（例えば、セルが属しているＴＡは、このセルによってブロードキャストされるＳＩＢにおいて示され得る）。
【００６６】
[0074]別のＴＡをサーチすることをＵＥ４０６に行わせることは、レガシＬＴＥネットワークにおいて見られるマルチ周波数展開において有益であり得、ここでは、複数の周波数レイヤは、異なる周波数上に重複したＴＡを提供するカバレッジが重複する。他方で、ＮＢ−ＩｏＴは、複数の周波数レイヤにわたって展開されないであろう。結果として、ＮＢ−Ｓ１モードで動作しているＵＥ４０６は、別のＴＡにおいて適切なＮＢ−ＩｏＴセルを見つける可能性が低いであろう。そのため、ＵＥ４０６がＮＢ−ＩｏＴネットワークに位置しているとき、ＵＥ４０６は、同じＰＬＭＮの別のＴＡ中で適切なセルを探すのに時間を無駄にするのではなく、新たなＰＬＭＮについてのサーチを実行し得る。
【００６７】
[0075]代替的に、原因値＃１５とともに含まれている新たな拡張ＥＭＭ原因ＩＥは、ＵＥ４０６が新たなＰＬＭＮをサーチすることに帰着し得る。ＵＥ４０６が、ＵＥ４０６のサポートＣＩｏＴ機能と互換性のある同じＰＬＭＮの別のＴＡ中に適切なセルを見つけないであろうとコアネットワークエンティティ４０２が決定するとき、コアネットワークエンティティ４０２は、原因値＃１５を有する新たな拡張ＥＭＭ原因ＩＥをＵＥ４０６に提供し得る。コアネットワークエンティティ４０２による決定は、ＵＥ４０６のモード（すなわち、ＮＢ−Ｓ１対ＷＢ−Ｓ１）と、展開（deployment）知識（例えば、ＵＥ４０６が使用したいと望むＣＩｏＴ機能を有する別のＴＡが同じエリア内の異なる周波数上に存在するという知識）と、可能性のある他の要因とに基づき得る。すべての他のケースでは、コアネットワークエンティティ４０２は、拡張ＥＭＭ原因ＩＥを有さないレガシ原因値＃１５を提供し得、ＵＥ４０６は、原因値＃１５に関するレガシ挙動（legacy behavior）に従い得る。
【００６８】
[0076]特定のインプリメンテーションでは、「要求されたＥＰＳ最適化はサポートされていない」に設定された拡張ＥＭＭ原因ＩＥを有する原因値＃１５を含む登録拒否メッセージが受信されるとき、ＵＥ４０６の挙動は、ＵＥの動作モード（例えば、ＮＢ−Ｓ１モードまたはＷＢ−Ｓ１モード）に基づき得る。例えば、登録拒否メッセージを受信すると、ＮＢ−Ｓ１モードのＵＥ４０６は、登録拒否メッセージを受信した時点で新たなＰＬＭＮをサーチし得るのに対して、ＷＢ−Ｓ１モードのＵＥ４０６は、レガシ原因値＃１５にしたがって挙動する（例えば、最初に同じＰＬＭＮの別のＴＡ中で適切なセルをサーチする）。
【００６９】
[0077]特定のインプリメンテーションでは、別のＰＬＭＮをサーチすることを示す原因値を有する登録拒否メッセージを受信すると（例えば、拡張ＥＭＭ原因値が「要求されたＥＰＳ最適化はサポートされていない」を示す場合）、ＵＥ４０６は、登録拒否メッセージが受信された現在のＰＬＭＮおよび／または現在のＴＡを、禁止ＰＬＭＮおよび／またはＴＡのリストに載せ得る。禁止ＰＬＭＮおよび／またはＴＡは、特定の時間期間の間、後続のサーチにおいてＵＥ４０６によって選択されることはない。禁止ＰＬＭＮおよび／またはＴＡのリストは、特定の時間期間の後に、または、ＵＥ４０６における電力サイクリング（power cycling）に応じて、または、ＵＥ４０６における加入者識別モジュール（ＳＩＭ:Subscriber Identity Module）カードが取り除かれたときに、消去され得る。禁止リストは、ＵＥ４０６にまたはＵＥ４０６におけるＳＩＭカードに記憶され得る。一構成では、ＵＥ４０６は、現在のＰＬＭＮ＋ＲＡＴまたはＴＡ＋ＲＡＴという組合せを禁止リストに載せ得る。ＲＡＴの例には、ＮＢ−ＩｏＴ、ＷＢ−Ｅ−ＵＴＲＡＮ、ＵＴＲＡＮ、ＧＥＲＡＮ、等が含まれる。
【００７０】
[0078]特定の他の構成では、別のＰＬＭＮをサーチすることを示す原因値を有する登録拒否メッセージを受信すると（例えば、拡張ＥＭＭ原因値が「要求されたＥＰＳ最適化はサポートされていない」を示す場合）、ＵＥ４０６は、（１）同等のＰＬＭＮのリストを削除し、アタッチ試行カウンタを予め定められた値（例えば、５の値）に設定し、（２）新たなＰＬＭＮ選択を実行するために状態「ＥＭＭ−ＤＥＲＥＧＩＳＴＥＲＥＤ．ＰＬＭＮ−ＳＥＡＲＣＨ」に入り、（３）ＵＥ４０６がオフに切り替えられるまでまたはユニバーサルＳＩＭ（ＵＳＩＭ）含むユニバーサル集積回路カード（ＵＩＣＣ）が取り除かれるまで、登録拒否メッセージを提供したＰＬＭＮをＰＬＭＮ選択の候補とみなさいであろう。同等のＰＬＭＮのリストは、ＵＥ４０６がネットワークエンティティ４０２に登録するとき、ネットワークエンティティ４０２によってＵＥ４０６に送られ得る。同等のＰＬＭＮは、登録されたＰＬＭＮと「同等である」とＵＥ４０６によってみなされ得、これは、ＰＬＭＮ選択およびアタッチプロシージャ（例えば、セル再選択より複雑な（involved）プロセス）を実行する必要なしに、セル再選択および追跡エリア更新プロシージャを介してＵＥ４０６が同等のＰＬＭＮ間を移動し得ることを意味する。
【００７１】
[0079]図４を参照して上述したように、登録拒否メッセージにおいて原因値を提供することで、下位互換性問題が矮小化され得、ＣＩｏＴネットワークに対する開発努力が削減され得、未定義のＵＥ挙動が低減され得、失敗に終わった登録試行を再び試みるために費やされる時間および登録要求を受け入れることができるネットワークをサーチする時間が減らされ得る。
【００７２】
[0080]図５は、ワイヤレス通信の方法のフローチャート５００である。方法は、ＵＥ（例えば、ＵＥ１０４、３５０、４０６、６５０、装置９０２／９０２’）と通信するコアネットワークエンティティ（例えば、ＭＭＥ１６２、コアネットワークエンティティ４０２、９５０、装置６０２／６０２’）によって実行され得る。
【００７３】
[0081]５０２において、コアネットワークエンティティは、要求される機能を含む登録要求をＵＥから受信し得る。特定の態様では、要求される機能は、ＣＩｏＴ最適化機能を含み得る。特定の他の態様では、ＣＩｏＴ最適化機能は、少なくとも、要求されるＥＰＳ最適化を含み得る。特定の他の態様では、コアネットワークエンティティは、ＭＭＥであり得る。例えば、図４を参照すると、４１０において、ＵＥ４０６は、ＣＩｏＴ機能についての要求を含む登録要求をコアネットワークエンティティ４０２に送り得る。例えば、登録要求において示され得るＣＩｏＴ機能は、ＰＤＮ接続性なしでのアタッチプロシージャ、ＣＰ ＣＩｏＴ最適化、ＵＰ ＣＩｏＴ最適化、コンバインドアタッチなしでのＳＭＳ、および／またはＳ１−Ｕデータ転送に対するサポートを含む。
【００７４】
[0082]５０４において、コアネットワークエンティティは、要求される機能に基づいて、登録要求を拒否すると決定し得る。例えば、図４を参照すると、４１２において、コアネットワークエンティティ４０２は、ＵＥ４０６からの登録要求を拒否すると決定し得る。一構成では、コアネットワークエンティティ４０２は、ＵＥの要求ＣＩｏＴ機能とコアネットワークエンティティ４０２のサポートＣＩｏＴ機能との間に互換性があるかどうかを決定し得る。ＵＥ４０６とコアネットワークエンティティ４０２との間にＣＩｏＴ機能の互換性がない場合、コアネットワークエンティティ４０２は、登録要求を拒否すると決定し得る。
【００７５】
[0083]５０６において、ＭＭＥは、複数の原因値から、ＵＥへの登録拒否メッセージ中に含める１つの原因値を選択し得る。特定の態様では、複数の原因値は、少なくとも、第１の原因値および第２の原因値を含み得る。特定の他の態様では、第１の原因値は、原因値番号を含み得る。特定の他の態様では、第２の原因値は、拡張ＥＭＭ原因情報エレメントを含む。特定の他の態様では、原因値番号は、原因値＃１５であり得る。特定の他の態様では、第１の原因値は、追跡エリア中に適切なセルが存在しないことを示し得る。特定の他の態様では、第２の原因値は、要求されるＥＰＳ最適化がサポートされていないことを示し得る。特定の他の態様では、原因値は、ＵＥがＮＢ−Ｓ１モードであるかＷＢ−Ｓ１モードであるかに基づいて選択され得る。特定の他の態様では、原因値は、ローカル展開についての知識に基づいて選択され得る。特定の他の態様では、ローカル展開についての知識は、ローカル展開が、現在のＰＬＭＮの同じエリアにおいて別の周波数に別の追跡エリアが存在するようなものであるかどうかを含み得る。特定の態様では、第１の原因値は、現在のＰＬＭＮにおいて、登録を試みるのに値する別の追跡エリアをサーチするようＵＥに指示し得、第１の原因値は、現在のＰＬＭＮの別の追跡エリア中で適切なセルを見つけようと試みるようＵＥに指示する。特定の他の態様では、第２の原因値は、現在のＰＬＭＮにおいて、登録を試みるのに値する別の追跡エリアをＵＥが見つけないであろうことを示し得、第２の原因値は、異なるＰＬＭＮを見つけようと試みるようＵＥに指示し得る。
【００７６】
[0084]特定の他の態様では、原因値番号は、現在のＰＬＭＮにおいて、登録を試みるのに値する別の追跡エリアをＵＥが見つけることができるかどうかを示し得る。特定の他の態様では、原因値番号は、ＣＩｏＴ最適化機能が現在のＰＬＭＮにおいてサポートされていないことを示し得る。例えば、図４を参照すると、４１６において、コアネットワークエンティティ４０２は、登録拒否メッセージに含まれるべき原因値を選択し得る。一構成では、コアネットワークエンティティ４０２は、どの原因値を登録拒否メッセージ中に含めるかを、（１）ＵＥ４０６がＮＢ−Ｓ１モードであるかＷＢ−Ｓ１モードであるか（例えば、コアネットワークエンティティ４０２は、ＵＥ４０６がＮＢ−Ｓ１モードで動作するかＷＢ−Ｓ１モードで動作するかを示す情報を無線ネットワークから受信し得る）、（２）ＵＥ４０６が登録しようと試みるであろう現在のＰＬＭＮの同じエリア内の（例えば、別の周波数における）別の追跡エリアの利用可能性、等のような、ローカル展開におけるサポートＣＩｏＴ機能についての知識、および／または（３）コアネットワークエンティティ４０２において利用可能な他の情報、のうちの１つまたは複数に基づいて、決定し得る。登録要求および／またはＴＡ更新要求が、ＵＥ４０６によってサポートされるＣＩｏＴ機能（例えば、ＣＩｏＴ ＥＰＳ最適化）とネットワークによってサポートされるＣＩｏＴ機能と間の非互換性により拒否される場合、コアネットワークエンティティ４０２は、ＥＭＭ原因値を、「追跡エリアに適切なセルなし」を示す＃１５に設定し得る。ＵＥ４０６が、（例えば、現在のＰＬＭＮの別のＴＡ中の適切なセルをサーチするよりむしろ）別のＰＬＭＮをサーチする必要があるとコアネットワークエンティティ４０２が決定する場合、コアネットワークエンティティ４０２は、「要求されたＥＰＳ最適化はサポートされていない」を示す値を有する拡張ＥＭＭ原因ＩＥを含め得る。ＵＥ４０６が、登録を試みるのに値する別のＴＡ（例えば、ＵＥ４０６のサポートＣＩｏＴ機能をサポートしているＴＡ）を見つけないであろうことをコアネットワークエンティティ４０２が決定する場合、コアネットワークエンティティ４０２は、別のネットワーク（例えば、別のＰＬＭＮ）を選択することをＵＥ４０６に行わせる原因値を登録拒否メッセージに含め得る。別のＰＬＭＮを選択することをＵＥ４０６に行わせるために、第１の構成では、「要求されたＥＰＳ最適化はサポートされていない」に設定された拡張ＥＭＭ原因ＩＥを有する原因値＃１５（例えば、新たな値）が、コアネットワークエンティティ４０２によって拒否拒否メッセージに含まれ得る。別のＰＬＭＮを選択することをＵＥ４０６に行わせるために、第２の構成では、「要求されたＥＰＳ最適化はサポートされていない」を示す新たな原因値（例えば、新たな原因値＃ｘｙ）がコアネットワークエンティティ４０２によって選択され、拒否拒否メッセージに含まれ得る。第１の構成と関連する１つの利点は、「要求されたＥＰＳ最適化はサポートされていない」に設定された拡張ＥＭＭ原因ＩＥを有する原因値＃１５がレガシＵＥと下位互換性を有することであり得る。すなわち、レガシＵＥは、「要求され��ＥＰＳ最適化はサポートされていない」に設定された拡張ＥＭＭ原因ＩＥにおける新たな値を無視し、原因値＃１５に対応するレガシ挙動を使用し得る。第２の構成と関連する１つの利点は、新たな原因値＃ｘｙが、完全に専用のＵＥ挙動を定義するために使用され得ることを含み得る。ＵＥ４０６が、登録を試みるのに値する別のＴＡ（例えば、ＵＥの要求ＣＩｏＴ機能および／またはサポートＣＩｏＴ機能をサポートしているＴＡ）を見つけ得ることをコアネットワークエンティティ４０２が決定する場合、コアネットワークエンティティ４０２は、同じネットワーク（例えば、現在のＰＬＭＮ）中の別のＴＡを選択することをＵＥ４０６に行わせる原因値を選択し得る。例えば、「要求されたＥＰＳ最適化はサポートされていない」に設定された拡張ＥＭＭ原因値を有さない原因値＃１５またはこの拒否シナリオ専用の新たな原因値（例えば、新たな原因値＃ｘｙ）が選択され得る。
【００７７】
[0085]５０８において、コアネットワークエンティティは、登録拒否メッセージをＵＥに送り得る。例えば、図４を参照すると、４１８において、コアネットワークエンティティ４０２は、選択された原因値を含む登録拒否メッセージをＵＥ４０６に送り得る。
【００７８】
[0086]図６は、例示的な装置６０２内の種々の手段／構成要素間のデータフローを例示する概念的なデータフロー図６００である。装置は、ＵＥ６５０（例えば、ＵＥ１０４、３５０、４０６、６５０、装置９０２／９０２’）と通信するコアネットワークエンティティ（例えば、ＭＭＥ１６２、コアネットワークエンティティ４０２、９５０、装置６０２’）であり得る。装置は、受信構成要素６０４と、登録構成要素６０６と、拒否メッセージ構成要素６０８と、送信構成要素６１０とを含み得る。
【００７９】
[0087]受信構成要素６０４は、要求される機能を含む登録要求６０１をＵＥ６５０から受信するように構成され得る。特定の態様では、要求される機能は、ＣＩｏＴ最適化機能を含み得る。特定の他の態様では、ＣＩｏＴ最適化機能は、少なくとも、要求されるＥＰＳ最適化を含み得る。受信構成要素６０４は、要求される機能（例えば、ＣＩｏＴ最適化機能）を含む登録要求と関連する信号６０３を登録構成要素６０６に送るように構成され得る。
【００８０】
[0088]登録構成要素６０６は、要求される機能に基づいて、登録要求を拒否すると決定するように構成され得る。例えば、登録構成要素６０６は、要求される機能を、装置６０２のネットワークによってサポートされている機能と比較し、要求ＣＩｏＴ機能がネットワークと互換性がないことが決定されるとき、登録要求を拒否すると決定し得る。登録構成要素６０６は、登録要求が拒否されることを示す信号６０５を拒否メッセージ構成要素６０８に送るように構成され得る。
【００８１】
[0089]拒否メッセージ構成要素６０８は、複数の原因値から、ＵＥへの登録拒否メッセージ中に含める１つの原因値を選択するように構成され得る。特定の態様では、複数の原因値は、少なくとも、第１の原因値および第２の原因値を含み得る。特定の他の態様では、第１の原因値は、原因値番号を含み得る。特定の他の態様では、第２の原因値は、拡張ＥＭＭ原因情報エレメントを含む。特定の他の態様では、原因値番号は、原因値＃１５であり得る。特定の他の態様では、第１の原因値は、追跡エリア中に適切なセルが存在しないことを示し得る。特定の他の態様では、第２の原因値は、要求されるＥＰＳ最適化がサポートされていないことを示し得る。特定の他の態様では、原因値は、ＵＥがＮＢ−Ｓ１モードであるかＷＢ−Ｓ１モードであるかに基づいて選択され得る。特定の他の態様では、原因値は、ローカル展開についての知識に基づいて選択され得る。特定の他の態様では、ローカル展開についての知識は、ローカル展開が、現在のＰＬＭＮの同じエリアにおいて別の周波数に別の追跡エリアが存在するようなものであるかどうかを含み得る。特定の態様では、第１の原因値は、現在のＰＬＭＮにおいて、登録を試みるのに値する別の追跡エリアをサーチするようＵＥに指示し得、第１の原因値は、現在のＰＬＭＮの別の追跡エリア中で適切なセルを見つけようと試みるようＵＥに指示する。特定の他の態様では、第２の原因値は、現在のＰＬＭＮにおいて、登録を試みるのに値する別の追跡エリアをＵＥが見つけないであろうことを示し得、第２の原因値は、異なるＰＬＭＮを見つけようと試みるようＵＥに指示し得る。
【００８２】
[0090]特定の他の態様では、原因値番号は、ＣＩｏＴ最適化機能が現在のＰＬＭＮにおいてサポートされていないことを示し得る。拒否メッセージ構成要素６０８は、原因値を含む登録拒否メッセージを生成するように構成され得る。拒否メッセージ構成要素６０８は、原因値を含む登録拒否メッセージと関連する信号６０７を送信構成要素６１０に送るように構成され得る。
【００８３】
[0091]送信構成要素６１０は、登録拒否メッセージ６０９をＵＥ６５０に送るように構成され得る。
【００８４】
[0092]装置は、前述した図５のフローチャートにおけるアルゴリズムのブロックの各々を実行する追加の構成要素を含み得る。そのため、前述した図５のフローチャートにおける各ブロックは、構成要素によって実行され得、装置は、それらの構成要素のうちの１つまたは複数を含み得る。構成要素は、定まったプロセス／アルゴリズムを実行するように特に構成されるか、定まったプロセス／アルゴリズムを実行するように構成されたプロセッサによってインプリメントされるか、プロセッサによるインプリメンテーションのためにコンピュータ読取可能な媒体内に記憶されるか、またはそれらの何らかの組合せである１つまたは複数のハードウェア構成要素であり得る。
【００８５】
[0093]図７は、処理システム７１４を用いる装置６０２’についてのハードウェアインプリメンテーションの例を例示する図７００である。処理システム７１４は、概してバス７２４で表されるバスアーキテクチャを用いてインプリメントされ得る。バス７２４は、処理システム７１４の特定の用途と設計制約全体に依存して、任意の数の相互接続バスおよびブリッジを含み得る。バス７２４は、プロセッサ７０４、構成要素６０４、６０６、６０８、６１０、およびコンピュータ読取可能な媒体／メモリ７０６で表される、１つまたは複数のプロセッサおよび／またはハードウェア構成要素を含む様々な回路を互いにリンクする。バス７２４はまた、タイミングソース、周辺機器、電圧レギュレータ、および電力管理回路のような様々な他の回路をリンクさせることができるが、これらは、当技術分野では周知であるためこれ以上説明されないであろう。
【００８６】
[0094]処理システム７１４は、トランシーバ７１０に結合され得る。トランシーバ７１０は、１つまたは複数のアンテナ７２０に結合される。トランシーバ７１０は、伝送媒体上で様々な他の装置と通信するための手段を提供する。トランシーバ７１０は、１つまたは複数のアンテナ７２０から信号を受け取り、受け取った信号から情報を抽出し、抽出された情報を処理システム７１４に、特に受信構成要素６０４に、提供する。加えて、トランシーバ７１０は、処理システム７１４、特に送信構成要素６１０から情報を受け取り、その受け取った情報に基づいて、１つまたは複数のアンテナ７２０に適用される信号を生成する。処理システム７１４は、コンピュータ読取可能な媒体／メモリ７０６に結合されたプロセッサ７０４を含む。プロセッサ７０４は、コンピュータ読取可能な媒体／メモリ７０６に記憶されたソフトウェアの実行を含む汎用処理を担う。ソフトウェアは、プロセッサ７０４によって実行されると、処理システム７１４に、任意の特定の装置に関して先に述べた様々な機能を実行させる。コンピュータ読取可能な媒体／メモリ７０６はまた、ソフトウェアを実行するときにプロセッサ７０４によって操作されるデータを記憶するために使用され得る。処理システム７１４はさらに、構成要素６０４、６０６、６０８、６１０のうちの少なくとも１つを含む。これらの構成要素は、コンピュータ読取可能な媒体／メモリ７０６に存在している／記憶されている、プロセッサ７０４上で動作するソフトウェア構成要素か、プロセッサ７０４に結合された１つまたは複数のハードウェア構成要素か、またはそれらの何らかの組合せであり得る。
【００８７】
[0095]特定の構成では、ワイヤレス通信のための装置６０２／６０２’は、要求される機能を含む登録要求をＵＥから受信するための手段を含み得る。特定の態様では、要求される機能は、ＣＩｏＴ最適化機能を含み得る。特定の他の態様では、ＣＩｏＴ最適化機能は、少なくとも、要求されるＥＰＳ最適化を含み得る。特定の他の態様では、コアネットワークエンティティは、ＭＭＥであり得る。特定の他の構成では、ワイヤレス通信のための装置６０２／６０２’は、要求される機能に基づいて、登録要求を拒否すると決定するための手段を含み得る。特定の他の構成では、ワイヤレス通信のための装置６０２／６０２’は、複数の原因値から、ＵＥへの登録拒否メッセージ中に含める１つの原因値を選択するための手段を含み得る。特定の態様では、複数の原因値は、少なくとも、第１の原因値および第２の原因値を含み得る。特定の他の態様では、第１の原因値は、原因値番号を含み得る。特定の他の態様では、第２の原因値は、拡張ＥＭＭ原因情報エレメントを含む。特定の他の態様では、原因値番号は、原因値＃１５であり得る。特定の他の態様では、第１の原因値は、追跡エリア中に適切なセルが存在しないことを示し得る。特定の他の態様では、第２の原因値は、要求されるＥＰＳ最適化がサポートされていないことを示し得る。特定の他の態様では、原因値は、ＵＥがＮＢ−Ｓ１モードであるかＷＢ−Ｓ１モードであるかに基づいて選択され得る。特定の他の態様では、原因値は、ローカル展開についての知識に基づいて選択され得る。特定の他の態様では、ローカル展開についての知識は、ローカル展開が、現在のＰＬＭＮの同じエリアにおいて別の周波数に別の追跡エリアが存在するようなものであるかどうかを含み得る。特定の態様では、第１の原因値は、現在のＰＬＭＮにおいて、登録を試みるのに値する別の追跡エリアをサーチするようＵＥに指示し得、第１の原因値は、現在のＰＬＭＮの別の追跡エリア中で適切なセルを見つけようと試みるようＵＥに指示する。特定の他の態様では、第２の原因値は、現在のＰＬＭＮにおいて、登録を試みるのに値する別の追跡エリアをＵＥが見つけないであろうことを示し得、第２の原因値は、異なるＰＬＭＮを見つけようと試みるようＵＥに指示し得る。
【００８８】
[0096]特定の他の態様では、原因値番号は、ＣＩｏＴ最適化機能が現在のＰＬＭＮにおいてサポートされていないことを示し得る。特定の他の構成では、ワイヤレス通信のための装置６０２／６０２’は、登録拒否メッセージをＵＥに送るための手段を含み得る。前述した手段は、前述した手段によって説明された機能を実行するように構成された装置６０２の前述した構成要素および／または装置６０２’の処理システム７１４のうちの１つまたは複数であり得る。
【００８９】
[0097]図８は、ワイヤレス通信の方法のフローチャート８００である。方法は、コアネットワークエンティティ（例えば、ＭＭＥ１６２、コアネットワークエンティティ４０２、９５０、装置６０２／６０２’）と通信するＵＥ（例えば、ＵＥ１０４、３５０、４０６、６５０、装置９０２／９０２’）によって実行され得る。図８において、破線で示される動作は、オプションの動作を示す。
【００９０】
[0098]８０２において、ＵＥは、要求ＣＩｏＴ機能を含む登録要求をコアネットワークエンティティに送信し得る。特定の態様では、要求される機能は、ＣＩｏＴ最適化機能を含み得る。特定の他の態様では、ＣＩｏＴ最適化機能は、少なくとも、要求されるＥＰＳ最適化を含み得る。例えば、図４を参照すると、４１０において、ＵＥ４０６は、ＣＩｏＴ機能についての要求を含む登録要求をコアネットワークエンティティ４０２に送り得る。例えば、登録要求において示され得るＣＩｏＴ機能は、ＰＤＮ接続性なしでのアタッチプロシージャ、ＣＰ ＣＩｏＴ最適化、ＵＰ ＣＩｏＴ最適化、コンバインドアタッチなしでのＳＭＳ、および／またはＳ１−Ｕデータ転送に対するサポートを含む。
【００９１】
[0099]８０４において、ＵＥは、原因値を含む登録拒否メッセージを受信し得る。特定の態様では、原因値は、第１の原因値または第２の原因値のうちの１つを含み得る。特定の他の態様では、第１の原因値は、原因値番号を含み得る。特定の他の態様では、第２の原因値は、拡張ＥＭＭ原因情報エレメントを含む。特定の他の態様では、原因値番号は、原因値＃１５であり得る。特定の他の態様では、第１の原因値は、追跡エリア中に適切なセルが存在しないことを示し得る。特定の他の態様では、第２の原因値は、要求されるＥＰＳ最適化がサポートされていないことを示し得る。特定の他の態様では、原因値番号は、現在のＰＬＭＮにおいて、登録を試みるのに値する別の追跡エリアをＵＥが見つけることができるかどうかを示すこと専用であり得る。特定の他の態様では、原因値番号は、ＣＩｏＴ最適化機能が現在のＰＬＭＮにおいてサポートされていないことを示すこと専用であり得る。例えば、図４を参照すると、４１８において、コアネットワークエンティティ４０２は、ＵＥ４０６によって受信される、選択された原因値を含む登録拒否メッセージを送り得る。
【００９２】
[00100]８０６において、ＵＥは、原因値に基づいて、現在のＰＬＭＮの別の追跡エリアをサーチするかどうかを決定し得る。例えば、図４を参照すると、ＵＥ４０６は、登録拒否メッセージに含まれている原因値に基づいて、その挙動を決定し得る。登録拒否メッセージにおける受信された原因値に依存して、ＵＥ４０６は、（例えば、原因値＃１５が、「要求されたＥＰＳ最適化はサポートされていない」に設定された拡張ＥＭＭ原因値なしに受信されるとき）別のＴＡをサーチするか、または（例えば、原因値＃１５が、「要求されたＥＰＳ最適化はサポートされていない」に設定された拡張ＥＭＭ原因値とともに受信されるとき）別のＰＬＭＮをサーチし得る。別の例では、ＵＥ４０６は、既存の原因値（例えば、＃１５）が（オプションの拡張ＥＭＭ原因値とともに）受信されるときには別のＴＡをサーチし、新たな原因値（例えば、＃ｘｙ）が受信されるときには別のＰＬＭＮをサーチし得る。一構成では、同じＰＬＭＮ中の別のＴＡをサーチすることは、別のＴＡ中の適切なセルをサーチすることを含み得る。代替的に、原因値＃１５とともに含まれている新たな拡張ＥＭＭ原因ＩＥは、ＵＥ４０６が新たなＰＬＭＮをサーチすることに帰着し得る。ＵＥ４０６が、ＵＥ４０６のサポートＣＩｏＴ機能と互換性のある同じＰＬＭＮの別のＴＡ中に適切なセルを見つけないであろうとコアネットワークエンティティ４０２が決定するとき、コアネットワークエンティティ４０２は、原因値＃１５を有する新たな拡張ＥＭＭ原因ＩＥをＵＥ４０６に提供し得る。コアネットワークエンティティ４０２による決定は、ＵＥ４０６のモード（すなわち、ＮＢ−Ｓ１対ＷＢ−Ｓ１）と、展開知識（例えば、ＵＥ４０６が使用したいと望むＣＩｏＴ機能を有する別のＴＡが同じエリア内の異なる周波数上に存在するという知識）と、可能性のある他の要因とに基づき得る。他の全てのケースでは、コアネットワークエンティティ４０２は、拡張ＥＭＭ原因ＩＥを有さないレガシ原因値＃１５を提供し得、ＵＥ４０６は、原因値＃１５のためのレガシ挙動に従う。特定のインプリメンテーションでは、「要求されたＥＰＳ最適化はサポートされていない」に設定された拡張ＥＭＭ原因ＩＥを有する原因値＃１５を含む登録拒否メッセージが受信されるとき、ＵＥ４０６の挙動は、ＵＥの動作モード（例えば、ＮＢ−Ｓ１モードまたはＷＢ−Ｓ１モード）に基づいて決められ得る。例えば、登録拒否メッセージを受信すると、ＮＢ−Ｓ１モードのＵＥ４０６は、直ちに新たなＰＬＭＮをサーチし得るのに対して、ＷＢ−Ｓ１モードのＵＥ４０６は、レガシ原因値＃１５にしたがって挙動する（例えば、最初に同じＰＬＭＮの別のＴＡ中の適切なセルをサーチする）。
【００９３】
[00101]８０８において、ＵＥは、原因値が第１の原因値であるとき、現在のＰＬＭＮの別の追跡エリアへの登録を試み得る。例えば、図４を参照すると、登録拒否メッセージにおける受信された原因値に依存して、ＵＥ４０６は、（例えば、原因値＃１５が、「要求されたＥＰＳ最適化はサポートされていない」に設定された拡張ＥＭＭ原因値なしに受信されるとき）別のＴＡへの登録を試み得る。別の例では、ＵＥ４０６は、既存の原因値（例えば、＃１５）が（オプションの拡張ＥＭＭ原因値とともに）受信されるとき、別のＴＡへの登録を試み得る。一構成では、同じＰＬＭＮ中の別のＴＡへの登録を試みることは、別のＴＡにおいて適切なセルへの登録を試みることを含み得る。
【００９４】
[00102]８１０において、ＵＥは、原因値が第２の原因値であるとき、別のＰＬＭＮを選択しようと試み得る。例えば、図４を参照すると、登録拒否メッセージにおける受信された原因値に依存して、ＵＥ４０６は、（例えば、原因値＃１５が、「要求されたＥＰＳ最適化はサポートされていない」に設定された拡張ＥＭＭ原因値とともに受信されるとき）別のＰＬＭＮを選択しようと試み得る。別の例では、ＵＥ４０６は、新たな原因値（例えば、♯ｘｙ）が受信されるとき、別のＰＬＭＮを選択しようと試み得る。
【００９５】
[00103]図９は、例示的な装置９０２内の種々の手段／構成要素間のデータフローを例示する概念的なデータフロー図９００である。装置は、コアネットワークエンティティ９５０（例えば、ＭＭＥ１６２、コアネットワークエンティティ４０２、装置６０２’）と通信するＵＥ（例えば、ＵＥ１０４、３５０、４０６、６５０、装置９０２／９０２’）であり得る。装置は、受信構成要素９０４と、動作決定構成要素９０６と、送信構成要素９０８とを含み得る。
【００９６】
[00104]送信構成要素９０８は、要求される機能を含む登録要求９０１をコアネットワークエンティティ９５０に送信するように構成され得る。特定の態様では、要求される機能は、ＣＩｏＴ最適化機能を含み得る。特定の他の態様では、ＣＩｏＴ最適化機能は、少なくとも、要求されるＥＰＳ最適化を含み得る。
【００９７】
[00105]受信構成要素９０４は、原因値を含む登録拒否メッセージ９０３を受信するように構成され得る。特定の態様では、原因値は、第１の原因値または第２の原因値のうちの１つを含み得る。特定の他の態様では、第１の原因値は、原因値番号を含み得る。特定の他の態様では、第２の原因値は、拡張ＥＭＭ原因情報エレメントを含む。特定の他の態様では、原因値番号は、原因値＃１５であり得る。特定の他の態様では、第１の原因値は、追跡エリア中に適切なセルが存在しないことを示し得る。特定の他の態様では、第２の原因値は、要求されるＥＰＳ最適化がサポートされていないことを示し得る。特定の他の態様では、原因値番号は、現在のＰＬＭＮにおいて、登録を試みるのに値する別の追跡エリアをＵＥが見つけることができるかどうかを示すこと専用であり得る。特定の他の態様では、原因値番号は、ＣＩｏＴ最適化機能が現在のＰＬＭＮにおいてサポートされていないことを示すこと専用であり得る。受信構成要素９０４は、原因値を含む登録拒否メッセージと関連する信号９０５を動作決定構成要素９０６に送るように構成され得る。
【００９８】
[00106]動作決定構成要素９０６は、原因値に基づいて、現在のＰＬＭＮの別の追跡エリアをサーチするかどうかを決定するように構成され得る。動作決定構成要素９０６は、原因値が第１の原因値であるとき、現在のＰＬＭＮの別の追跡エリアへの登録を試みるように構成され得る。動作決定構成要素９０６は、原因値が第２の原因値であるとき、別のＰＬＭＮを選択しようと試みるように構成され得る。
【００９９】
[00107]装置は、前述した図８のフローチャートにおけるアルゴリズムのブロックの各々を実行する追加の構成要素を含み得る。そのため、前述した図８のフローチャートにおける各ブロックは、構成要素によって実行され得、装置は、それらの構成要素のうちの１つまたは複数を含み得る。構成要素は、定まったプロセス／アルゴリズムを実行するように特に構成されるか、定まったプロセス／アルゴリズムを実行するように構成されたプロセッサによってインプリメントされるか、プロセッサによるインプリメンテーションのためにコンピュータ読取可能な媒体内に記憶されるか、またはそれらの何らかの組合せである１つまたは複数のハードウェア構成要素であり得る。
【０１００】
[00108]図１０は、処理システム１０１４を用いる装置９０２’についてのハードウェアインプリメンテーションの例を例示する図１０００である。処理システム１０１４は、概してバス１０２４で表されるバスアーキテクチャを用いてインプリメントされ得る。バス１０２４は、処理システム１０１４の特定の用途と設計制約全体に依存して、任意の数の相互接続バスおよびブリッジを含み得る。バス１０２４は、プロセッサ１００４、構成要素９０４、９０６、９０８、およびコンピュータ読取可能な媒体／メモリ１００６で表される、１つまたは複数のプロセッサおよび／またはハードウェア構成要素を含む様々な回路を互いにリンクする。バス１０２４はまた、タイミングソース、周辺機器、電圧レギュレータ、および電力管理回路のような様々な他の回路をリンクさせることができるが、これらは、当技術分野では周知であるためこれ以上説明されないであろう。
【０１０１】
[00109]処理システム１０１４は、トランシーバ１０１０に結合され得る。トランシーバ１０１０は、１つまたは複数のアンテナ１０２０に結合される。トランシーバ１０１０は、伝送媒体上で様々な他の装置と通信するための手段を提供する。トランシーバ１０１０は、１つまたは複数のアンテナ１０２０から信号を受け取り、受け取った信号から情報を抽出し、抽出された情報を処理システム１０１４に、特に受信構成要素９０４に、提供する。加えて、トランシーバ１０１０は、処理システム１０１４、特に送信構成要素９０８から情報を受け取り、その受け取った情報に基づいて、１つまたは複数のアンテナ１０２０に適用される信号を生成する。処理システム１０１４は、コンピュータ読取可能な媒体／メモリ１００６に結合されたプロセッサ１００４を含む。プロセッサ１００４は、コンピュータ読取可能な媒体／メモリ１００６に記憶されたソフトウェアの実行を含む汎用処理を担う。ソフトウェアは、プロセッサ１００４によって実行されると、処理システム１０１４に、任意の特定の装置に関して先に述べた様々な機能を実行させる。コンピュータ読取可能な媒体／メモリ１００６はまた、ソフトウェアを実行するときにプロセッサ１００４によって操作されるデータを記憶するために使用され得る。処理システム１０１４はさらに、構成要素９０４、９０６、９０８のうちの少なくとも１つを含む。これらの構成要素は、コンピュータ読取可能な媒体／メモリ１００６に存在している／記憶されている、プロセッサ１００４上で動作するソフトウェア構成要素か、プロセッサ１００４に結合された１つまたは複数のハードウェア構成要素か、またはそれらの何らかの組合せであり得る。処理システム１０１４は、ＵＥ３５０の構成要素であり得、メモリ３６０および／またはＴＸプロセッサ３６８、ＲＸプロセッサ３５６、およびコントローラ／プロセッサ３５９のうちの少なくとも１つを含み得る。
【０１０２】
[00110]特定の構成では、ワイヤレス通信のための装置９０２／９０２’は、要求される機能を含む登録要求をコアネットワークエンティティに送信するための手段を含み得る。特定の態様では、要求される機能は、ＣＩｏＴ最適化機能を含み得る。特定の他の態様では、ＣＩｏＴ最適化機能は、少なくとも、要求されるＥＰＳ最適化を含み得る。特定の他の構成では、ワイヤレス通信のための装置９０２／９０２’は、原因値を含む登録拒否メッセージを受信するための手段を含み得る。特定の態様では、原因値は、第１の原因値または第２の原因値のうちの１つを含み得る。特定の他の態様では、第１の原因値は、原因値番号を含み得る。特定の他の態様では、第２の原因値は、拡張ＥＭＭ原因情報エレメントを含む。特定の他の態様では、原因値番号は、原因値＃１５であり得る。特定の他の態様では、第１の原因値は、追跡エリア中に適切なセルが存在しないことを示し得る。特定の他の態様では、第２の原因値は、要求されるＥＰＳ最適化がサポートされていないことを示し得る。特定の他の態様では、原因値番号は、現在のＰＬＭＮにおいて、登録を試みるのに値する別の追跡エリアをＵＥが見つけることができるかどうかを示すこと専用であり得る。特定の他の態様では、原因値番号は、ＣＩｏＴ最適化機能が現在のＰＬＭＮにおいてサポートされていないことを示すこと専用であり得る。特定の他の構成では、ワイヤレス通信のための装置９０２／９０２’は、原因値に基づいて、現在のＰＬＭＮの別の追跡エリアをサーチするかどうかを決定するための手段を含み得る。特定の他の構成では、ワイヤレス通信のための装置９０２／９０２’は、原因値が第１の原因値であるとき、現在のＰＬＭＮの別の追跡エリアへの登録を試みるための手段を含み得る。特定の他の構成では、ワイヤレス通信のための装置９０２／９０２’は、原因値が第２の原因値であるとき、別のＰＬＭＮを選択しようと試みるための手段を含み得る。
【０１０３】
[00111]前述した手段は、前述した手段によって説明された機能を実行するように構成された装置９０２の前述した構成要素および／または装置９０２’の処理システム１０１４のうちの１つまたは複数であり得る。先に述べたように、処理システム１０１４は、ＴＸプロセッサ３６８と、ＲＸプロセッサ３５６と、コントローラ／プロセッサ３５９とを含み得る。そのため、一構成では、前述した手段は、前述した手段によって記載された機能を行うように構成されたＴＸプロセッサ３６８、ＲＸプロセッサ３５６、およびコントローラ／プロセッサ３５９であり得る。
【０１０４】
[00112]開示されたプロセス／フローチャートにおけるブロックの特定の順序または階層が例示的な手法の例示であることは理解される。設計の選好に基づいて、これらのプロセス／フローチャートにおけるブロックの特定の順序または階層が並び替えられ得ることは理解される。さらに、いくつかのブロックは、組み合わせられるか、または省略され得る。添付の方法の請求項は、様々なブロックのエレメントを例示的な順序で示すが、提示された特定の順序または階層に限定されることは意味されない。
【０１０５】
[00113]先の説明は、本明細書で説明される様々な態様を当業者が実施することを可能にするために提供される。これらの態様に対する様々な修正は、当業者には容易に明らかとなり、本明細書において定義された包括的な原理は、他の態様に適用され得る。ゆえに、特許請求の範囲は、本明細書に示された態様に限定されるように意図されるのではなく、特許請求の範囲における文言と一致する全範囲が付与されるべきであり、ここにおいて、単数形のエレメントへの参照は、別途明記されていない限り、「１つおよび１つのみ」を意味するように意図されるのではなく、むしろ「１つまたは複数」を意味する。「例示的」という用語は、「実例、事例、または例示として提供される」を意味するために本明細書で使用される。「例示的」として本明細書で説明される任意の態様は、必ずしも、他の態様よりも好ましいまたは有利であると解釈されるべきではない。別途明記されていない限り、「何らかの／いくつかの」という用語は、１つまたは複数を指す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」のような組合せは、Ａ、Ｂ、および／またはＣの任意の組合せを含み、複数のＡ、複数のＢ、または複数のＣを含み得る。具体的には、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」のような組合せは、Ａのみ、Ｂのみ、Ｃのみ、ＡとＢ、ＡとＣ、ＢとＣ、またはＡとＢとＣであり得、ここで、任意のこのような組合せは、Ａ、Ｂ、またはＣの１つまたは複数のメンバーを含み得る。当業者に知られているかまたは後に知られることとなる、本開示全体にわたって説明された様々な態様のエレメントと構造的および機能的に同等なものはすべて、参照によって本明細書に明確に組み込まれ、特許請求の範囲によって包含されることが意図されている。さらに、本明細書におけるどの開示も、そのような開示が特許請求の範囲に明示的に記載されているかどうかに関わらず、公衆に献呈されることを意図するものではない。「モジュール」、「メカニズム」、「エレメント」、「デバイス」、等の用語は、「手段」という用語の代用にはならない可能性がある。そのため、エレメントが「〜のための手段」という表現を使用して明記されていない限り、請求項のいずれのエレメントもミーンズプラスファンクションとして解釈されるべきではない。
【図１】
2019525584.tif 000004
【図２Ａ】
2019525584.tif 000005
【図２Ｂ】
2019525584.tif 000006
【図２Ｃ】
2019525584.tif 000007
【図２Ｄ】
2019525584.tif 000008
【図３】
2019525584.tif 000009
【図４】
2019525584.tif 000010
【図５】
2019525584.tif 000011
【図６】
2019525584.tif 000012
【図７】
2019525584.tif 000013
【図８】
2019525584.tif 000014
【図９】
2019525584.tif 000015
【図１０】
2019525584.tif 000016
【手続補正書】
【提出日】平成31年3月12日(2019.3.12)
【手続補正１】
【補正対象書類名】特許請求の範囲
【補正対象項目名】全文
【補正方法】変更
【補正の内容】
【特許請求の範囲】
【請求項１】
コアネットワークエンティティのワイヤレス通信の方法であって、
ユーザ機器（ＵＥ）から、要求される機能を含む登録要求を受信することと、ここにおいて、前記要求される機能は、ＣＩｏＴ（cellular internet of things）最適化機能を含み、前記ＣＩｏＴ最適化機能は、少なくとも、要求される進化型パケットシステム（ＥＰＳ）最適化を含む、
前記要求される機能に基づいて、前記登録要求を拒否すると決定することと、
複数の原因値から、前記ＵＥへの登録拒否メッセージ中に含める１つの原因値を選択することと、ここにおいて、前記原因値は、前記ＵＥがＮＢ−Ｓ１モードであるかＷＢ−Ｓ１モードであるかに少なくとも部分的に基づいて選択され、
前記複数の原因値は、少なくとも、第１の原因値および第２の原因値を含み、
前記第１の原因値は、原因値番号を含み、
前記第２の原因値は、拡張ＥＰＳモビリティ管理（ＥＭＭ）原因情報エレメントを含み、
前記原因値番号は、原因値＃１５であり、
前記第１の原因値は、追跡エリア中に適切なセルが存在しないことを示し、
前記第２の原因値は、前記要求されるＥＰＳ最適化がサポートされていないことを示す、
前記登録拒否メッセージを前記ＵＥに送ることと、
を備える方法。
【請求項２】
前記原因値は、ローカル展開についての知識に基づいて選択される、請求項１に記載の方法。
【請求項３】
前記ローカル展開についての前記知識は、前記ローカル展開が、現在の地上波公共移動通信ネットワーク（ＰＬＭＮ）の同じエリアにおいて別の周波数上に別の追跡エリアが存在するようなものであるかどうかを備える、請求項２に記載の方法。
【請求項４】
前記第１の原因値は、現在の地上波公共移動通信ネットワーク（ＰＬＭＮ）において、登録を試みるのに値する別の追跡エリアをサーチするよう前記ＵＥに指示し、前記第１の原因値は、前記現在のＰＬＭＮの別の追跡エリア中で適切なセルを見つけようと試みるよう前記ＵＥに指示する、請求項１に記載の方法。
【請求項５】
前記第２の原因値は、前記現在のＰＬＭＮにおいて、登録を試みるのに値する別の追跡エリアを前記ＵＥが見つけないであろうことを示し、前記第２の原因値は、異なるＰＬＭＮを見つけることを試みるよう前記ＵＥに指示する、請求項４に記載の方法。
【請求項６】
前記原因値番号は、前記現在のＰＬＭＮにおいて、登録を試みるのに値する別の追跡エリアを前記ＵＥが見つけることができるかどうかを示す、請求項５に記載の方法。
【請求項７】
前記原因値番号は、前記ＣＩｏＴ最適化機能が現在の地上波公共移動通信ネットワーク（ＰＬＭＮ）においてサポートされていないことを示す、請求項１に記載の方法。
【請求項８】
前記コアネットワークエンティティはＭＭＥである、請求項１に記載の方法。
【請求項９】
ユーザ機器（ＵＥ）のワイヤレス通信の方法であって、
要求される機能を含む登録要求をコアネットワークエンティティに送信することと、ここにおいて、前記要求される機能は、ＣＩｏＴ（cellular internet of things）最適化機能を含み、前記ＣＩｏＴ最適化機能は、少なくとも、要求される進化型パケットシステム（ＥＰＳ）最適化を含む、
原因値を含む登録拒否メッセージを受信することと、ここにおいて、前記拒否メッセージに含まれる前記原因値は、前記ＵＥがＮＢ−Ｓ１モードであるかＷＢ−Ｓ１モードであるかに少なくとも部分的に関連し、
前記原因値は、第１の原因値または第２の原因値のうちの１つを含み、
前記第１の原因値は、原因値番号を含み、
前記第２の原因値は、拡張ＥＰＳモビリティ管理（ＥＭＭ）原因情報エレメントを含み、
前記原因値番号は、原因値＃１５であり、
前記第１の原因値は、追跡エリア中に適切なセルが存在しないことを示し、
前記第２の原因値は、前記要求されるＥＰＳ最適化がサポートされていないことを示す、
前記原因値に基づいて、現在の地上波公共移動通信ネットワーク（ＰＬＭＮ）の別の追跡エリアをサーチするかどうかを決定することと、
を備える方法。
【請求項１０】
前記原因値が前記第１の原因値であるとき、現在の地上波公共移動通信ネットワーク（ＰＬＭＮ）の前記別の追跡エリアへの登録を試みることと、
前記原因値が前記第２の原因値であるとき、別のＰＬＭＮを選択することを試みることと、
をさらに備える、請求項９に記載の方法。
【請求項１１】
前記原因値番号は、現在の地上波公共移動通信ネットワーク（ＰＬＭＮ）において、登録を試みるのに値する別の追跡エリアを前記ＵＥが見つけることができるかどうかを示すこと専用である、請求項９に記載の方法。
【請求項１２】
前記原因値番号は、前記ＣＩｏＴ最適化機能が現在の地上波公共移動通信ネットワーク（ＰＬＭＮ）においてサポートされていないことを示すこと専用である、請求項９に記載の方法。
【請求項１３】
コアネットワークエンティティのワイヤレス通信のための装置であって、
ユーザ機器（ＵＥ）から、要求される機能を含む登録要求を受信するための手段と、ここにおいて、前記要求される機能は、ＣＩｏＴ（cellular internet of things）最適化機能を含み、前記ＣＩｏＴ最適化機能は、少なくとも、要求される進化型パケットシステム（ＥＰＳ）最適化を含む、
前記要求される機能に基づいて、前記登録要求を拒否すると決定するための手段と、
複数の原因値から、前記ＵＥへの登録拒否メッセージ中に含める１つの原因値を選択するための手段と、ここにおいて、前記原因値は、前記ＵＥがＮＢ−Ｓ１モードであるかＷＢ−Ｓ１モードであるかに少なくとも部分的に基づいて選択され、
前記複数の原因値は、少なくとも、第１の原因値および第２の原因値を含み、
前記第１の原因値は、原因値番号を含み、
前記第２の原因値は、拡張ＥＰＳモビリティ管理（ＥＭＭ）原因情報エレメントを含み、
前記原因値番号は、原因値＃１５であり、
前記第１の原因値は、追跡エリア中に適切なセルが存在しないことを示し、
前記第２の原因値は、前記要求されるＥＰＳ最適化がサポートされていないことを示す、
前記登録拒否メッセージを前記ＵＥに送るための手段と、
を備える装置。
【請求項１４】
前記原因値は、ローカル展開についての知識に基づいて選択される、請求項１３に記載の装置。
【請求項１５】
前記ローカル展開についての前記知識は、前記ローカル展開が、現在の地上波公共移動通信ネットワーク（ＰＬＭＮ）の同じエリアにおいて別の周波数に別の追跡エリアが存在するようなものであるかどうかを備える、請求項１４に記載の装置。
【請求項１６】
前記第１の原因値は、現在の地上波公共移動通信ネットワーク（ＰＬＭＮ）において、登録を試みるのに値する別の追跡エリアをサーチするよう前記ＵＥに指示し、前記第１の原因値は、前記現在のＰＬＭＮの別の追跡エリア中で適切なセルを見つけようと試みるよう前記ＵＥに指示する、請求項１３に記載の装置。
【請求項１７】
前記第２の原因値は、前記現在のＰＬＭＮにおいて、登録を試みるのに値する別の追跡エリアを前記ＵＥが見つけないであろうことを示し、前記第２の原因値は、異なるＰＬＭＮを見つけることを試みるよう前記ＵＥに指示する、請求項１６に記載の装置。
【請求項１８】
前記原因値番号は、前記現在のＰＬＭＮにおいて、登録を試みるのに値する別の追跡エリアを前記ＵＥが見つけることができるかどうかを示す、請求項１７に記載の装置。
【請求項１９】
前記原因値番号は、前記ＣＩｏＴ最適化機能が現在の地上波公共移動通信ネットワーク（ＰＬＭＮ）においてサポートされていないことを示す、請求項１３に記載の装置。
【請求項２０】
前記コアネットワークエンティティはＭＭＥである、請求項１３に記載の装置。
【請求項２１】
ユーザ機器（ＵＥ）のワイヤレス通信のための装置であって、
要求される機能を含む登録要求をコアネットワークエンティティに送信するための手段と、ここにおいて、前記要求される機能は、ＣＩｏＴ（cellular internet of things）最適化機能を含み、前記ＣＩｏＴ最適化機能は、少なくとも、要求される進化型パケットシステム（ＥＰＳ）最適化を含む、
原因値を含む登録拒否メッセージを受信するための手段と、ここにおいて、前記拒否メッセージに含まれる前記原因値は、前記ＵＥがＮＢ−Ｓ１モードであるかＷＢ−Ｓ１モードであるかに少なくとも部分的に関連し、
前記原因値は、第１の原因値または第２の原因値のうちの１つを含み、
前記第１の原因値は、原因値番号を含み、
前記第２の原因値は、拡張ＥＰＳモビリティ管理（ＥＭＭ）原因情報エレメントを含み、
前記原因値番号は、原因値＃１５であり、
前記第１の原因値は、追跡エリア中に適切なセルが存在しないことを示し、
前記第２の原因値は、前記要求されるＥＰＳ最適化がサポートされていないことを示す、
前記原因値に基づいて、現在の地上波公共移動通信ネットワーク（ＰＬＭＮ）の別の追跡エリアをサーチするかどうかを決定するための手段と、
を備える装置。
【請求項２２】
前記原因値が前記第１の原因値であるとき、現在の地上波公共移動通信ネットワーク（ＰＬＭＮ）の前記別の追跡エリアへの登録を試みるための手段と、
前記原因値が前記第２の原因値であるとき、別のＰＬＭＮを選択することを試みるための手段と、
をさらに備える、請求項２１に記載の装置。
【請求項２３】
前記原因値番号は、現在の地上波公共移動通信ネットワーク（ＰＬＭＮ）において、登録を試みるのに値する別の追跡エリアを前記ＵＥが見つけることができるかどうかを示すこと専用である、請求項２１に記載の装置。
【請求項２４】
前記原因値番号は、前記ＣＩｏＴ最適化機能が現在の地上波公共移動通信ネットワーク（ＰＬＭＮ）においてサポートされていないことを示すこと専用である、請求項２１に記載の装置。
【請求項２５】
コアネットワークエンティティのワイヤレス通信のための装置であって、
メモリと、
前記メモリに結合された少なくとも１つのプロセッサと、
を備え、前記少なくとも１つのプロセッサは、
ユーザ機器（ＵＥ）から、要求される機能を含む登録要求を受信することと、ここにおいて、前記要求される機能は、ＣＩｏＴ（cellular internet of things）最適化機能を含み、前記ＣＩｏＴ最適化機能は、少なくとも、要求される進化型パケットシステム（ＥＰＳ）最適化を含む、
前記要求される機能に基づいて、前記登録要求を拒否すると決定することと、
複数の原因値から、前記ＵＥへの登録拒否メッセージ中に含める１つの原因値を選択することと、ここにおいて、前記原因値は、前記ＵＥがＮＢ−Ｓ１モードであるかＷＢ−Ｓ１モードであるかに基づいて選択され、
前記複数の原因値は、少なくとも、第１の原因値および第２の原因値を含み、
前記第１の原因値は、原因値番号を含み、
前記第２の原因値は、拡張ＥＰＳモビリティ管理（ＥＭＭ）原因情報エレメントを含み、
前記原因値番号は、原因値＃１５であり、
前記第１の原因値は、追跡エリア中に適切なセルが存在しないことを示し、
前記第２の原因値は、前記要求されるＥＰＳ最適化がサポートされていないことを示す、
前記登録拒否メッセージを前記ＵＥに送ることと、
を行うように構成される、装置。
【請求項２６】
前記原因値は、ローカル展開についての知識に基づいて選択される、請求項２５に記載の装置。
【請求項２７】
前記ローカル展開についての前記知識は、前記ローカル展開が、現在の地上波公共移動通信ネットワーク（ＰＬＭＮ）の同じエリアにおいて別の周波数に別の追跡エリアが存在するようなものであるかどうかを備える、請求項２６に記載の装置。
【請求項２８】
前記第１の原因値は、現在の地上波公共移動通信ネットワーク（ＰＬＭＮ）において、登録を試みるのに値する別の追跡エリアをサーチするよう前記ＵＥに指示し、前記第１の原因値は、前記現在のＰＬＭＮの別の追跡エリア中で適切なセルを見つけようと試みるよう前記ＵＥに指示する、請求項２５に記載の装置。
【請求項２９】
前記第２の原因値は、前記現在のＰＬＭＮにおいて、登録を試みるのに値する別の追跡エリアを前記ＵＥが見つけないであろうことを示し、前記第２の原因値は、異なるＰＬＭＮを見つけることを試みるよう前記ＵＥに指示する、請求項２８に記載の装置。
【請求項３０】
前記原因値番号は、前記現在のＰＬＭＮにおいて、登録を試みるのに値する別の追跡エリアを前記ＵＥが見つけることができるかどうかを示す、請求項２９に記載の装置。
【請求項３１】
前記原因値番号は、前記ＣＩｏＴ最適化機能が現在の地上波公共移動通信ネットワーク（ＰＬＭＮ）においてサポートされていないことを示す、請求項２５に記載の装置。
【請求項３２】
前記コアネットワークエンティティはＭＭＥである、請求項２５に記載の装置。
【請求項３３】
ユーザ機器（ＵＥ）のワイヤレス通信のための装置であって、
メモリと、
前記メモリに結合された少なくとも１つのプロセッサと
を備え、前記少なくとも１つのプロセッサは、
要求される機能を含む登録要求をコアネットワークエンティティに送信することと、ここにおいて、前記要求される機能は、ＣＩｏＴ（cellular internet of things）最適化機能を含み、前記ＣＩｏＴ最適化機能は、少なくとも、要求される進化型パケットシステム（ＥＰＳ）最適化を含む、
原因値を含む登録拒否メッセージを受信することと、ここにおいて、前記拒否メッセージに含まれる前記原因値は、前記ＵＥがＮＢ−Ｓ１モードであるかＷＢ−Ｓ１モードであるかに少なくとも部分的に関連し、
前記原因値は、第１の原因値または第２の原因値のうちの１つを含み、
前記第１の原因値は、原因値番号を含み、
前記第２の原因値は、拡張ＥＰＳモビリティ管理（ＥＭＭ）原因情報エレメントを含み、
前記原因値番号は、原因値＃１５であり、
前記第１の原因値は、追跡エリア中に適切なセルが存在しないことを示し、
前記第２の原因値は、前記要求されるＥＰＳ最適化がサポートされていないことを示す、
前記原因値に基づいて、現在の地上波公共移動通信ネットワーク（ＰＬＭＮ）の別の追跡エリアをサーチするかどうかを決定することと、
を行うように構成される、装置。
【請求項３４】
前記少なくとも１つのプロセッサは、
前記原因値が前記第１の原因値であるとき、現在の地上波公共移動通信ネットワーク（ＰＬＭＮ）の前記別の追跡エリアへの登録を試みることと、
前記原因値が前記第２の原因値であるとき、別のＰＬＭＮを選択することを試みることと、
を行うようにさらに構成される、請求項３３に記載の装置。
【請求項３５】
前記原因値番号は、現在の地上波公共移動通信ネットワーク（ＰＬＭＮ）において、登録を試みるのに値する別の追跡エリアを前記ＵＥが見つけることができるかどうかを示すこと専用である、請求項３３に記載の装置。
【請求項３６】
前記原因値番号は、前記ＣＩｏＴ最適化機能が現在の地上波公共移動通信ネットワーク（ＰＬＭＮ）においてサポートされていないことを示すこと専用である、請求項３３に記載の装置。
【請求項３７】
コアネットワークエンティティのためのコンピュータ実行可能コードを記憶するコンピュータ読取可能な媒体であって、
ユーザ機器（ＵＥ）から、要求される機能を含む登録要求を受信することと、ここにおいて、前記要求される機能は、ＣＩｏＴ（cellular internet of things）最適化機能を含み、前記ＣＩｏＴ最適化機能は、少なくとも、要求される進化型パケットシステム（ＥＰＳ）最適化を含む、
前記要求される機能に基づいて、前記登録要求を拒否すると決定することと、
複数の原因値から、前記ＵＥへの登録拒否メッセージ中に含める１つの原因値を選択することと、ここにおいて、前記原因値は、前記ＵＥがＮＢ−Ｓ１モードであるかＷＢ−Ｓ１モードであるかに基づいて選択され、
前記複数の原因値は、少なくとも、第１の原因値および第２の原因値を含み、
前記第１の原因値は、原因値番号を含み、
前記第２の原因値は、拡張ＥＰＳモビリティ管理（ＥＭＭ）原因情報エレメントを含み、
前記原因値番号は、原因値＃１５であり、
前記第１の原因値は、追跡エリア中に適切なセルが存在しないことを示し、
前記第２の原因値は、前記要求されるＥＰＳ最適化がサポートされていないことを示す、
前記登録拒否メッセージを前記ＵＥに送ることと、
を行うためのコードを備える、コンピュータ読取可能な媒体。
【請求項３８】
前記原因値は、ローカル展開についての知識に基づいて選択される、請求項３７に記載のコンピュータ読取可能な媒体。
【請求項３９】
前記ローカル展開についての前記知識は、前記ローカル展開が、現在の地上波公共移動通信ネットワーク（ＰＬＭＮ）の同じエリアにおいて別の周波数に別の追跡エリアが存在するようなものであるかどうかを備える、請求項３８に記載のコンピュータ読取可能な媒体。
【請求項４０】
前記第１の原因値は、現在の地上波公共移動通信ネットワーク（ＰＬＭＮ）において、登録を試みるのに値する別の追跡エリアをサーチするよう前記ＵＥに指示し、前記第１の原因値は、前記現在のＰＬＭＮの別の追跡エリア中で適切なセルを見つけようと試みるよう前記ＵＥに指示する、請求項３７に記載のコンピュータ読取可能な媒体。
【請求項４１】
前記第２の原因値は、前記現在のＰＬＭＮにおいて、登録を試みるのに値する別の追跡エリアを前記ＵＥが見つけないであろうことを示し、前記第２の原因値は、異なるＰＬＭＮを見つけることを試みるよう前記ＵＥに指示する、請求項４０に記載のコンピュータ読取可能な媒体。
【請求項４２】
前記原因値番号は、前記現在のＰＬＭＮにおいて、登録を試みるのに値する別の追跡エリアを前記ＵＥが見つけることができるかどうかを示す、請求項４１に記載のコンピュータ読取可能な媒体。
【請求項４３】
前記原因値番号は、前記ＣＩｏＴ最適化機能が現在の地上波公共移動通信ネットワーク（ＰＬＭＮ）においてサポートされていないことを示す、請求項３７に記載のコンピュータ読取可能な媒体。
【請求項４４】
前記コアネットワークエンティティはＭＭＥである、請求項３７に記載のコンピュータ読取可能な媒体。
【請求項４５】
ユーザ機器（ＵＥ）のためのコンピュータ実行可能コードを記憶するコンピュータ読取可能な媒体であって、
要求される機能を含む登録要求をコアネットワークエンティティに送信することと、ここにおいて、前記要求される機能は、ＣＩｏＴ（cellular internet of things）最適化機能を含み、前記ＣＩｏＴ最適化機能は、少なくとも、要求される進化型パケットシステム（ＥＰＳ）最適化を含む、
原因値を含む登録拒否メッセージを受信することと、ここにおいて、前記拒否メッセージに含まれる前記原因値は、前記ＵＥがＮＢ−Ｓ１モードであるかＷＢ−Ｓ１モードであるかに少なくとも部分的に関連し、
前記原因値は、第１の原因値または第２の原因値のうちの１つを含み、
前記第１の原因値は、原因値番号を含み、
前記第２の原因値は、拡張ＥＰＳモビリティ管理（ＥＭＭ）原因情報エレメントを含み、
前記原因値番号は、原因値＃１５であり、
前記第１の原因値は、追跡エリア中に適切なセルが存在しないことを示し、
前記第２の原因値は、前記要求されるＥＰＳ最適化がサポートされていないことを示す、
前記原因値に基づいて、現在の地上波公共移動通信ネットワーク（ＰＬＭＮ）の別の追跡エリアをサーチするかどうかを決定することと、
を行うためのコードを備える、コンピュータ読取可能な媒体。
【請求項４６】
前記原因値が前記第１の原因値であるとき、現在の地上波公共移動通信ネットワーク（ＰＬＭＮ）の前記別の追跡エリアへの登録を試みることと、
前記原因値が前記第２の原因値であるとき、別のＰＬＭＮを選択することを試みることと、
を行うためのコードをさらに備える、請求項４５に記載のコンピュータ読取可能な媒体。
【請求項４７】
前記原因値番号は、現在の地上波公共移動通信ネットワーク（ＰＬＭＮ）において、登録を試みるのに値する別の追跡エリアを前記ＵＥが見つけることができるかどうかを示すこと専用である、請求項４５に記載のコンピュータ読取可能な媒体。
【請求項４８】
前記原因値番号は、前記ＣＩｏＴ最適化機能が現在の地上波公共移動通信ネットワーク（ＰＬＭＮ）においてサポートされていないことを示すこと専用である、請求項４５に記載のコンピュータ読取可能な媒体。
【手続補正２】
【補正対象書類名】明細書
【補正対象項目名】０１０５
【補正方法】変更
【補正の内容】
【０１０５】
[00113]先の説明は、本明細書で説明される様々な態様を当業者が実施することを可能にするために提供される。これらの態様に対する様々な修正は、当業者には容易に明らかとなり、本明細書において定義された包括的な原理は、他の態様に適用され得る。ゆえに、特許請求の範囲は、本明細書に示された態様に限定されるように意図されるのではなく、特許請求の範囲における文言と一致する全範囲が付与されるべきであり、ここにおいて、単数形のエレメントへの参照は、別途明記されていない限り、「１つおよび１つのみ」を意味するように意図されるのではなく、むしろ「１つまたは複数」を意味する。「例示的」という用語は、「実例、事例、または例示として提供される」を意味するために本明細書で使用される。「例示的」として本明細書で説明される任意の態様は、必ずしも、他の態様よりも好ましいまたは有利であると解釈されるべきではない。別途明記されていない限り、「何らかの／いくつかの」という用語は、１つまたは複数を指す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」のような組合せは、Ａ、Ｂ、および／またはＣの任意の組合せを含み、複数のＡ、複数のＢ、または複数のＣを含み得る。具体的には、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」のような組合せは、Ａのみ、Ｂのみ、Ｃのみ、ＡとＢ、ＡとＣ、ＢとＣ、またはＡとＢとＣであり得、ここで、任意のこのような組合せは、Ａ、Ｂ、またはＣの１つまたは複数のメンバーを含み得る。当業者に知られているかまたは後に知られることとなる、本開示全体にわたって説明された様々な態様のエレメントと構造的および機能的に同等なものはすべて、参照によって本明細書に明確に組み込まれ、特許請求の範囲によって包含されることが意図されている。さらに、本明細書におけるどの開示も、そのような開示が特許請求の範囲に明示的に記載されているかどうかに関わらず、公衆に献呈されることを意図するものではない。「モジュール」、「メカニズム」、「エレメント」、「デバイス」、等の用語は、「手段」という用語の代用にはならない可能性がある。そのため、エレメントが「〜のための手段」という表現を使用して明記されていない限り、請求項のいずれのエレメントもミーンズプラスファンクションとして解釈されるべきではない。
以下に本願発明の当初の特許請求の範囲に記載された発明を付記する。
［Ｃ１］
コアネットワークエンティティのワイヤレス通信の方法であって、
ユーザ機器（ＵＥ）から、要求される機能を含む登録要求を受信することと、ここにおいて、前記要求される機能は、ＣＩｏＴ（cellular internet of things）最適化機能を含み、前記ＣＩｏＴ最適化機能は、少なくとも、要求される進化型パケットシステム（ＥＰＳ）最適化を含む、
前記要求される機能に基づいて、前記登録要求を拒否すると決定することと、
複数の原因値から、前記ＵＥへの登録拒否メッセージ中に含める１つの原因値を選択することと、ここにおいて、
前記複数の原因値は、少なくとも、第１の原因値および第２の原因値を含み、
前記第１の原因値は、原因値番号を含み、
前記第２の原因値は、拡張ＥＰＳモビリティ管理（ＥＭＭ）原因情報エレメントを含み、
前記原因値番号は、原因値＃１５であり、
前記第１の原因値は、追跡エリア中に適切なセルが存在しないことを示し、
前記第２の原因値は、前記要求されるＥＰＳ最適化がサポートされていないことを示す、
前記登録拒否メッセージを前記ＵＥに送ることと、
を備える方法。
［Ｃ２］
前記原因値は、前記ＵＥがＮＢ−Ｓ１モードであるかＷＢ−Ｓ１モードであるかに基づいて選択される、Ｃ１に記載の方法。
［Ｃ３］
前記原因値は、ローカル展開についての知識に基づいて選択される、Ｃ１に記載の方法。
［Ｃ４］
前記ローカル展開についての前記知識は、前記ローカル展開が、現在の地上波公共移動通信ネットワーク（ＰＬＭＮ）の同じエリアにおいて別の周波数上に別の追跡エリアが存在するようなものであるかどうかを備える、Ｃ３に記載の方法。
［Ｃ５］
前記第１の原因値は、現在の地上波公共移動通信ネットワーク（ＰＬＭＮ）において、登録を試みるのに値する別の追跡エリアをサーチするよう前記ＵＥに指示し、前記第１の原因値は、前記現在のＰＬＭＮの別の追跡エリア中で適切なセルを見つけようと試みるよう前記ＵＥに指示する、Ｃ１に記載の方法。
［Ｃ６］
前記第２の原因値は、前記現在のＰＬＭＮにおいて、登録を試みるのに値する別の追跡エリアを前記ＵＥが見つけないであろうことを示し、前記第２の原因値は、異なるＰＬＭＮを見つけることを試みるよう前記ＵＥに指示する、Ｃ５に記載の方法。
［Ｃ７］
前記原因値番号は、前記現在のＰＬＭＮにおいて、登録を試みるのに値する別の追跡エリアを前記ＵＥが見つけることができるかどうかを示す、Ｃ６に記載の方法。
［Ｃ８］
前記原因値番号は、前記ＣＩｏＴ最適化機能が現在の地上波公共移動通信ネットワーク（ＰＬＭＮ）においてサポートされていないことを示す、Ｃ１に記載の方法。
［Ｃ９］
前記コアネットワークエンティティはＭＭＥである、Ｃ１に記載の方法。
［Ｃ１０］
ユーザ機器（ＵＥ）のワイヤレス通信の方法であって、
要求される機能を含む登録要求をコアネットワークエンティティに送信することと、ここにおいて、前記要求される機能は、ＣＩｏＴ（cellular internet of things）最適化機能を含み、前記ＣＩｏＴ最適化機能は、少なくとも、要求される進化型パケットシステム（ＥＰＳ）最適化を含む、
原因値を含む登録拒否メッセージを受信することと、ここにおいて、
前記原因値は、第１の原因値または第２の原因値のうちの１つを含み、
前記第１の原因値は、原因値番号を含み、
前記第２の原因値は、拡張ＥＰＳモビリティ管理（ＥＭＭ）原因情報エレメントを含み、
前記原因値番号は、原因値＃１５であり、
前記第１の原因値は、追跡エリア中に適切なセルが存在しないことを示し、
前記第２の原因値は、前記要求されるＥＰＳ最適化がサポートされていないことを示す、
前記原因値に基づいて、現在の地上波公共移動通信ネットワーク（ＰＬＭＮ）の別の追跡エリアをサーチするかどうかを決定することと、
を備える方法。
［Ｃ１１］
前記原因値が前記第１の原因値であるとき、現在の地上波公共移動通信ネットワーク（ＰＬＭＮ）の前記別の追跡エリアへの登録を試みることと、
前記原因値が前記第２の原因値であるとき、別のＰＬＭＮを選択することを試みることと、
をさらに備える、Ｃ１０に記載の方法。
［Ｃ１２］
前記原因値番号は、現在の地上波公共移動通信ネットワーク（ＰＬＭＮ）において、登録を試みるのに値する別の追跡エリアを前記ＵＥが見つけることができるかどうかを示すこと専用である、Ｃ１０に記載の方法。
［Ｃ１３］
前記原因値番号は、前記ＣＩｏＴ最適化機能が現在の地上波公共移動通信ネットワーク（ＰＬＭＮ）においてサポートされていないことを示すこと専用である、Ｃ１０に記載の方法。
［Ｃ１４］
コアネットワークエンティティのワイヤレス通信のための装置であって、
ユーザ機器（ＵＥ）から、要求される機能を含む登録要求を受信するための手段と、ここにおいて、前記要求される機能は、ＣＩｏＴ（cellular internet of things）最適化機能を含み、前記ＣＩｏＴ最適化機能は、少なくとも、要求される進化型パケットシステム（ＥＰＳ）最適化を含む、
前記要求される機能に基づいて、前記登録要求を拒否すると決定するための手段と、
複数の原因値から、前記ＵＥへの登録拒否メッセージ中に含める１つの原因値を選択するための手段と、ここにおいて、
前記複数の原因値は、少なくとも、第１の原因値および第２の原因値を含み、
前記第１の原因値は、原因値番号を含み、
前記第２の原因値は、拡張ＥＰＳモビリティ管理（ＥＭＭ）原因情報エレメントを含み、
前記原因値番号は、原因値＃１５であり、
前記第１の原因値は、追跡エリア中に適切なセルが存在しないことを示し、
前記第２の原因値は、前記要求されるＥＰＳ最適化がサポートされていないことを示す、
前記登録拒否メッセージを前記ＵＥに送るための手段と、
を備える装置。
［Ｃ１５］
前記原因値は、前記ＵＥがＮＢ−Ｓ１モードであるかＷＢ−Ｓ１モードであるかに基づいて選択される、Ｃ１４に記載の装置。
［Ｃ１６］
前記原因値は、ローカル展開についての知識に基づいて選択される、Ｃ１４に記載の装置。
［Ｃ１７］
前記ローカル展開についての前記知識は、前記ローカル展開が、現在の地上波公共移動通信ネットワーク（ＰＬＭＮ）の同じエリアにおいて別の周波数に別の追跡エリアが存在するようなものであるかどうかを備える、Ｃ１６に記載の装置。
［Ｃ１８］
前記第１の原因値は、現在の地上波公共移動通信ネットワーク（ＰＬＭＮ）において、登録を試みるのに値する別の追跡エリアをサーチするよう前記ＵＥに指示し、前記第１の原因値は、前記現在のＰＬＭＮの別の追跡エリア中で適切なセルを見つけようと試みるよう前記ＵＥに指示する、Ｃ１４に記載の装置。
［Ｃ１９］
前記第２の原因値は、前記現在のＰＬＭＮにおいて、登録を試みるのに値する別の追跡エリアを前記ＵＥが見つけないであろうことを示し、前記第２の原因値は、異なるＰＬＭＮを見つけることを試みるよう前記ＵＥに指示する、Ｃ１８に記載の装置。
［Ｃ２０］
前記原因値番号は、前記現在のＰＬＭＮにおいて、登録を試みるのに値する別の追跡エリアを前記ＵＥが見つけることができるかどうかを示す、Ｃ１９に記載の装置。
［Ｃ２１］
前記原因値番号は、前記ＣＩｏＴ最適化機能が現在の地上波公共移動通信ネットワーク（ＰＬＭＮ）においてサポートされていないことを示す、Ｃ１４に記載の装置。
［Ｃ２２］
前記コアネットワークエンティティはＭＭＥである、Ｃ１４に記載の装置。
［Ｃ２３］
ユーザ機器（ＵＥ）のワイヤレス通信のための装置であって、
要求される機能を含む登録要求をコアネットワークエンティティに送信するための手段と、ここにおいて、前記要求される機能は、ＣＩｏＴ（cellular internet of things）最適化機能を含み、前記ＣＩｏＴ最適化機能は、少なくとも、要求される進化型パケットシステム（ＥＰＳ）最適化を含む、
原因値を含む登録拒否メッセージを受信するための手段と、ここにおいて、
前記原因値は、第１の原因値または第２の原因値のうちの１つを含み、
前記第１の原因値は、原因値番号を含み、
前記第２の原因値は、拡張ＥＰＳモビリティ管理（ＥＭＭ）原因情報エレメントを含み、
前記原因値番号は、原因値＃１５であり、
前記第１の原因値は、追跡エリア中に適切なセルが存在しないことを示し、
前記第２の原因値は、前記要求されるＥＰＳ最適化がサポートされていないことを示す、
前記原因値に基づいて、現在の地上波公共移動通信ネットワーク（ＰＬＭＮ）の別の追跡エリアをサーチするかどうかを決定するための手段と、
を備える装置。
［Ｃ２４］
前記原因値が前記第１の原因値であるとき、現在の地上波公共移動通信ネットワーク（ＰＬＭＮ）の前記別の追跡エリアへの登録を試みるための手段と、
前記原因値が前記第２の原因値であるとき、別のＰＬＭＮを選択することを試みるための手段と、
をさらに備える、Ｃ２３に記載の装置。
［Ｃ２５］
前記原因値番号は、現在の地上波公共移動通信ネットワーク（ＰＬＭＮ）において、登録を試みるのに値する別の追跡エリアを前記ＵＥが見つけることができるかどうかを示すこと専用である、Ｃ２３に記載の装置。
［Ｃ２６］
前記原因値番号は、前記ＣＩｏＴ最適化機能が現在の地上波公共移動通信ネットワーク（ＰＬＭＮ）においてサポートされていないことを示すこと専用である、Ｃ２３に記載の装置。
［Ｃ２７］
コアネットワークエンティティのワイヤレス通信のための装置であって、
メモリと、
前記メモリに結合された少なくとも１つのプロセッサと、
を備え、前記少なくとも１つのプロセッサは、
ユーザ機器（ＵＥ）から、要求される機能を含む登録要求を受信することと、ここにおいて、前記要求される機能は、ＣＩｏＴ（cellular internet of things）最適化機能を含み、前記ＣＩｏＴ最適化機能は、少なくとも、要求される進化型パケットシステム（ＥＰＳ）最適化を含む、
前記要求される機能に基づいて、前記登録要求を拒否すると決定することと、
複数の原因値から、前記ＵＥへの登録拒否メッセージ中に含める１つの原因値を選択することと、ここにおいて、
前記複数の原因値は、少なくとも、第１の原因値および第２の原因値を含み、
前記第１の原因値は、原因値番号を含み、
前記第２の原因値は、拡張ＥＰＳモビリティ管理（ＥＭＭ）原因情報エレメントを含み、
前記原因値番号は、原因値＃１５であり、
前記第１の原因値は、追跡エリア中に適切なセルが存在しないことを示し、
前記第２の原因値は、前記要求されるＥＰＳ最適化がサポートされていないことを示す、
前記登録拒否メッセージを前記ＵＥに送ることと、
を行うように構成される、装置。
［Ｃ２８］
前記原因値は、前記ＵＥがＮＢ−Ｓ１モードであるかＷＢ−Ｓ１モードであるかに基づいて選択される、Ｃ２７に記載の装置。
［Ｃ２９］
前記原因値は、ローカル展開についての知識に基づいて選択される、Ｃ２７に記載の装置。
［Ｃ３０］
前記ローカル展開についての前記知識は、前記ローカル展開が、現在の地上波公共移動通信ネットワーク（ＰＬＭＮ）の同じエリアにおいて別の周波数に別の追跡エリアが存在するようなものであるかどうかを備える、Ｃ２９に記載の装置。
［Ｃ３１］
前記第１の原因値は、現在の地上波公共移動通信ネットワーク（ＰＬＭＮ）において、登録を試みるのに値する別の追跡エリアをサーチするよう前記ＵＥに指示し、前記第１の原因値は、前記現在のＰＬＭＮの別の追跡エリア中で適切なセルを見つけようと試みるよう前記ＵＥに指示する、Ｃ２７に記載の装置。
［Ｃ３２］
前記第２の原因値は、前記現在のＰＬＭＮにおいて、登録を試みるのに値する別の追跡エリアを前記ＵＥが見つけないであろうことを示し、前記第２の原因値は、異なるＰＬＭＮを見つけることを試みるよう前記ＵＥに指示する、Ｃ３１に記載の装置。
［Ｃ３３］
前記原因値番号は、前記現在のＰＬＭＮにおいて、登録を試みるのに値する別の追跡エリアを前記ＵＥが見つけることができるかどうかを示す、Ｃ３２に記載の装置。
［Ｃ３４］
前記原因値番号は、前記ＣＩｏＴ最適化機能が現在の地上波公共移動通信ネットワーク（ＰＬＭＮ）においてサポートされていないことを示す、Ｃ２７に記載の装置。
［Ｃ３５］
前記コアネットワークエンティティはＭＭＥである、Ｃ２７に記載の装置。
［Ｃ３６］
ユーザ機器（ＵＥ）のワイヤレス通信のための装置であって、
メモリと、
前記メモリに結合された少なくとも１つのプロセッサと
を備え、前記少なくとも１つのプロセッサは、
要求される機能を含む登録要求をコアネットワークエンティティに送信することと、ここにおいて、前記要求される機能は、ＣＩｏＴ（cellular internet of things）最適化機能を含み、前記ＣＩｏＴ最適化機能は、少なくとも、要求される進化型パケットシステム（ＥＰＳ）最適化を含む、
原因値を含む登録拒否メッセージを受信することと、ここにおいて、
前記原因値は、第１の原因値または第２の原因値のうちの１つを含み、
前記第１の原因値は、原因値番号を含み、
前記第２の原因値は、拡張ＥＰＳモビリティ管理（ＥＭＭ）原因情報エレメントを含み、
前記原因値番号は、原因値＃１５であり、
前記第１の原因値は、追跡エリア中に適切なセルが存在しないことを示し、
前記第２の原因値は、前記要求されるＥＰＳ最適化がサポートされていないことを示す、
前記原因値に基づいて、現在の地上波公共移動通信ネットワーク（ＰＬＭＮ）の別の追跡エリアをサーチするかどうかを決定することと、
を行うように構成される、装置。
［Ｃ３７］
前記少なくとも１つのプロセッサは、
前記原因値が前記第１の原因値であるとき、現在の地上波公共移動通信ネットワーク（ＰＬＭＮ）の前記別の追跡エリアへの登録を試みることと、
前記原因値が前記第２の原因値であるとき、別のＰＬＭＮを選択することを試みることと、
を行うようにさらに構成される、Ｃ３６に記載の装置。
［Ｃ３８］
前記原因値番号は、現在の地上波公共移動通信ネットワーク（ＰＬＭＮ）において、登録を試みるのに値する別の追跡エリアを前記ＵＥが見つけることができるかどうかを示すこと専用である、Ｃ３６に記載の装置。
［Ｃ３９］
前記原因値番号は、前記ＣＩｏＴ最適化機能が現在の地上波公共移動通信ネットワーク（ＰＬＭＮ）においてサポートされていないことを示すこと専用である、Ｃ３６に記載の装置。
［Ｃ４０］
コアネットワークエンティティのためのコンピュータ実行可能コードを記憶するコンピュータ読取可能な媒体であって、
ユーザ機器（ＵＥ）から、要求される機能を含む登録要求を受信することと、ここにおいて、前記要求される機能は、ＣＩｏＴ（cellular internet of things）最適化機能を含み、前記ＣＩｏＴ最適化機能は、少なくとも、要求される進化型パケットシステム（ＥＰＳ）最適化を含む、
前記要求される機能に基づいて、前記登録要求を拒否すると決定することと、
複数の原因値から、前記ＵＥへの登録拒否メッセージ中に含める１つの原因値を選択することと、ここにおいて、
前記複数の原因値は、少なくとも、第１の原因値および第２の原因値を含み、
前記第１の原因値は、原因値番号を含み、
前記第２の原因値は、拡張ＥＰＳモビリティ管理（ＥＭＭ）原因情報エレメントを含み、
前記原因値番号は、原因値＃１５であり、
前記第１の原因値は、追跡エリア中に適切なセルが存在しないことを示し、
前記第２の原因値は、前記要求されるＥＰＳ最適化がサポートされていないことを示す、
前記登録拒否メッセージを前記ＵＥに送ることと、
を行うためのコードを備える、コンピュータ読取可能な媒体。
［Ｃ４１］
前記原因値は、前記ＵＥがＮＢ−Ｓ１モードであるかＷＢ−Ｓ１モードであるかに基づいて選択される、Ｃ４０に記載のコンピュータ読取可能な媒体。
［Ｃ４２］
前記原因値は、ローカル展開についての知識に基づいて選択される、Ｃ４０に記載のコンピュータ読取可能な媒体。
［Ｃ４３］
前記ローカル展開についての前記知識は、前記ローカル展開が、現在の地上波公共移動通信ネットワーク（ＰＬＭＮ）の同じエリアにおいて別の周波数に別の追跡エリアが存在するようなものであるかどうかを備える、Ｃ４２に記載のコンピュータ読取可能な媒体。
［Ｃ４４］
前記第１の原因値は、現在の地上波公共移動通信ネットワーク（ＰＬＭＮ）において、登録を試みるのに値する別の追跡エリアをサーチするよう前記ＵＥに指示し、前記第１の原因値は、前記現在のＰＬＭＮの別の追跡エリア中で適切なセルを見つけようと試みるよう前記ＵＥに指示する、Ｃ４０に記載のコンピュータ読取可能な媒体。
［Ｃ４５］
前記第２の原因値は、前記現在のＰＬＭＮにおいて、登録を試みるのに値する別の追跡エリアを前記ＵＥが見つけないであろうことを示し、前記第２の原因値は、異なるＰＬＭＮを見つけようと試みるよう前記ＵＥに指示する、Ｃ４４に記載のコンピュータ読取可能な媒体。
［Ｃ４６］
前記原因値番号は、前記現在のＰＬＭＮにおいて、登録を試みるのに値する別の追跡エリアを前記ＵＥが見つけることができるかどうかを示す、Ｃ４５に記載のコンピュータ読取可能な媒体。
［Ｃ４７］
前記原因値番号は、前記ＣＩｏＴ最適化機能が現在の地上波公共移動通信ネットワーク（ＰＬＭＮ）においてサポートされていないことを示す、Ｃ４０に記載のコンピュータ読取可能な媒体。
［Ｃ４８］
前記コアネットワークエンティティはＭＭＥである、Ｃ４０に記載のコンピュータ読取可能な媒体。
［Ｃ４９］
ユーザ機器（ＵＥ）のためのコンピュータ実行可能コードを記憶するコンピュータ読取可能な媒体であって、
要求される機能を含む登録要求をコアネットワークエンティティに送信することと、ここにおいて、前記要求される機能は、ＣＩｏＴ（cellular internet of things）最適化機能を含み、前記ＣＩｏＴ最適化機能は、少なくとも、要求される進化型パケットシステム（ＥＰＳ）最適化を含む、
原因値を含む登録拒否メッセージを受信することと、ここにおいて、
前記原因値は、第１の原因値または第２の原因値のうちの１つを含み、
前記第１の原因値は、原因値番号を含み、
前記第２の原因値は、拡張ＥＰＳモビリティ管理（ＥＭＭ）原因情報エレメントを含み、
前記原因値番号は、原因値＃１５であり、
前記第１の原因値は、追跡エリア中に適切なセルが存在しないことを示し、
前記第２の原因値は、前記要求されるＥＰＳ最適化がサポートされていないことを示す、
前記原因値に基づいて、現在の地上波公共移動通信ネットワーク（ＰＬＭＮ）の別の追跡エリアをサーチするかどうかを決定することと、
を行うためのコードを備える、コンピュータ読取可能な媒体。
［Ｃ５０］
前記原因値が前記第１の原因値であるとき、現在の地上波公共移動通信ネットワーク（ＰＬＭＮ）の前記別の追跡エリアへの登録を試みることと、
前記原因値が前記第２の原因値であるとき、別のＰＬＭＮを選択することを試みることと、
を行うためのコードをさらに備える、Ｃ４９に記載のコンピュータ読取可能な媒体。
［Ｃ５１］
前記原因値番号は、現在の地上波公共移動通信ネットワーク（ＰＬＭＮ）において、登録を試みるのに値する別の追跡エリアを前記ＵＥが見つけることができるかどうかを示すこと専用である、Ｃ４９に記載のコンピュータ読取可能な媒体。
［Ｃ５２］
前記原因値番号は、前記ＣＩｏＴ最適化機能が現在の地上波公共移動通信ネットワーク（ＰＬＭＮ）においてサポートされていないことを示すこと専用である、Ｃ４９に記載のコンピュータ読取可能な媒体。
【国際調査報告】
2019525584.tif 000017
2019525584.tif 000018
2019525584.tif 000019
2019525584.tif 000020